(57)【要約】【課題】本発明は膀胱、膀胱頚部、前立腺、尿道、尿管、腎臓の組織へ流体を供与するために有用な装置および関連方法に関する。【解決手段】本発明による装置は、操縦可能シャフト、光学機構、側方、長手方向または遠方に移動可能もしくは突出可能とされ得る複数の流体供与オリフィスの如き特徴の一つまたは組み合わせを含み、前記方法は、膀胱(膀胱頚部を含む)、尿道、前立腺、腎臓、尿管等の組織へ一種類または複数種類の流体の供与を可能にする。【選択図】図２
2014231019.tif 000002
【特許請求の範囲】
【請求項１】
基端と、
前記基端から先端まで延在する可撓性シャフトと、
前記先端で前記シャフトから突出可能な流体供与オリフィスとを含む、
尿路の組織に対して流体を供与する装置。
【請求項２】
前記装置は、前記基端における本体を含み、
前記本体は、圧力源および流体リザーバを含み、
前記流体リザーバは、前記流体供与オリフィスと流体により連通し、
前記圧力源は前記流体リザーバを加圧し得る、
請求項１記載の装置。
【請求項３】
前記装置は、前記基端と連通する遠隔コンソールを含み、
前記遠隔コンソールは圧力源および流体リザーバを含み、
前記流体リザーバは前記流体供与オリフィスと流体により連通し、
前記圧力源は前記流体リザーバを加圧し得る、
請求項１記載の装置。
【請求項４】
前記装置は、前記シャフトの先端にパドル延長部を含み、
前記パドル延長部は、前記シャフトに連結された取付端部と、前記シャフトから側方に拡開され得る可動端とを含み、
前記可動端には流体供与オリフィスが設けられている、
請求項１記載の装置。
【請求項５】
前記シャフトの先端から伸張され得る流体供与オリフィス延長部を含む、前記シャフトの先端で前記シャフトの長軸に沿って一つの成分、および前記長軸を横切る方向に第二成分を含む、請求項１記載の装置。
【請求項６】
前記流体供与オリフィス延長部は前記シャフトの先端における膨張可能バルーンであり、且つ
前記装置は前記膨張可能バルーンに取付けられた複数の流体供与オリフィスを含む、請求項５記載の装置。
【請求項７】
前記先端から前記基端へ延在し、前記装置が患者の体内に設置されたときに膀胱から尿を排出し得る排出管孔を含む、請求項１記載の装置。
【請求項８】
操縦可能なシャフト先端を含む、請求項７記載の装置。
【請求項９】
前記基端と、前記先端からの視界との間の光学的連通を可能にする光学機器を含む、請求項１記載の装置。
【請求項１０】
前記シャフトの先端は操縦可能である、請求項１記載の装置。
【請求項１１】
前記基端と、前記先端からの視界との間の光学的連通を可能にする光学機器を含む、請求項１０記載の装置。
【請求項１２】
前記流体供与オリフィスは前記シャフトの最先端から遠方へ伸張する伸張可能な流体供与管孔である、請求項１０記載の装置。
【請求項１３】
前記装置は、可撓導管を介して前記基端へ連結された遠隔コンソールを含み、
前記コンソールは、圧力源と、流体供与オリフィスと連通する流体リザーバとを含み、  前記圧力源は前記流体リザーバを加圧し得る、請求項１２記載の装置。
【請求項１４】
前記装置は、複数オリフィスから独立に流体を供与でき、
前記先端に二つの流体供与オリフィスと、
二つの流体リザーバとを含み、
一方の流体リザーバは一方の流体供与オリフィスと流体により連通し、且つ
他方の流体リザーバは他方の流体供与オリフィスと流体により連通する、
請求項１乃至１３のいずれか一項に記載の装置。
【請求項１５】
請求項１乃至１４のいずれか一項に記載の装置を準備し、
前記先端を尿道内へ挿入し、流体供与オリフィスを尿路の所定箇所に載置し、
伸張可能な流体供与オリフィスを伸張させ、
尿路内へ流体を供与することを含む、
尿路の組織へ流体を供与する方法。
【請求項１６】
流体を下尿路の組織内に注入することを含む、請求項１５記載の方法。
【請求項１７】
流体を下尿路の組織の表面へ滴注することを含む、請求項１５記載の方法。
【請求項１８】
前記組織は、尿道組織、前立腺組織、膀胱頚部組織、膀胱組織、尿管組織、および、腎臓組織から成る群から選択される、請求項１５記載の方法。
【請求項１９】
基端と、
前記基端から先端まで延在し操縦可能部を含むシャフトと、
前記先端における流体供与オリフィスと、
前記基端と前記先端との間の光学的連通を可能にする光学機器とを含む、
尿路の組織へ流体を供与する装置。
【請求項２０】
各々が流体リザーバおよび流体供与オリフィスを含む複数の流体供与システムを含む、請求項１９記載の装置。
【請求項２１】
請求項１９または２０に記載の装置を準備し、
前記先端を尿道内へ挿入し、流体供与オリフィスを尿路の所定箇所に載置し、
前記光学機器を使用して供与箇所を観察し、
前記先端を操縦し、
尿路へ流体を供与することを含む、
尿路の組織へ流体を供与する方法。
【請求項２２】
尿路の組織へ流体を供与すると共に、二種類の異なる流体を供与し得る装置であって、  基端と、
前記基端から先端まで延在するシャフトと、
前記先端における第一群の二つ以上の流体供与オリフィスであって、相互に流体により連通し且つ第一流体リザーバと流体により連通する第一群の二つ以上の流体供与オリフィスと、
前記先端における第二群の二つ以上の第二流体供与オリフィスであって、相互に流体により連通し且つ第二流体リザーバと流体により連通する第二群の二つ以上の第二流体供与オリフィスと、
一つ以上の第一流体供与オリフィスを選択的に開閉する第一カバーと、
一つ以上の第二流体供与オリフィスを選択的に開閉するカバーと、
流体リザーバを加圧し、流体供与オリフィスから流体を供与し得る圧力源とを含む、
装置。
【請求項２３】
前記装置は遠隔コンソールを含み、
前記遠隔コンソールは、
第一群の流体供与オリフィスと流体により連通する第一流体リザーバと、
第二群の流体供与オリフィスと流体により連通する第二流体リザーバと、
第一流体リザーバ、第二流体リザーバ、またはその両方を加圧し、第一および第二流体供与オリフィスから独立に流体を供与し得る圧力源とを含む、
請求項２２記載の装置。
【請求項２４】
請求項２２または２３に記載の装置を準備し、
前記先端を尿道内へ挿入し、流体供与オリフィスを尿路の所定箇所に載置し、
第一流体供与オリフィスを介して流体を供与し、
第二流体供与オリフィスを介して異なる流体を供与することを含む、
組織へ流体を供与する方法。
【発明の詳細な説明】
【技術分野】
【０００１】
本発明は、尿路の組織(例えば前立腺組織、腎臓、尿管、尿道組織、膀胱等)を治療する方法および装置、並びに治療法に使用される装置、方法および外科キットに関する。
【背景技術】
【０００２】
尿路の健康状態は、例えば高齢人口に基づく、次第に重要となる健康問題である。尿路状態の治療は、多大な研究を要する分野である。
【０００３】
治療用流体の如き治療用物質を、例えば腎臓、尿管または下尿路(尿道、前立腺、膀胱、膀胱頚部)等の尿路に対して供与する多くの方法および装置が提案されており、これらの装置の各例は前立腺の治療に焦点を合わせている。前立腺障害は男性にとって相当な健康リスクである。前立腺障害として、前立腺炎、良性前立腺過形成(BPH：前立腺肥大症としても知られる)、前立腺上皮内腫瘍(PIN)および前立腺癌が挙げられる。
【０００４】
前立腺条件に加え、尿路の他の組織は、流体の形態の種々の治療用物質の供与により治療され得る病状により影響され得る。(膀胱頚部を含む)膀胱、尿管、腎臓、尿道ならびに前立腺の組織は、薬物もしくは他の治療薬の供与により治療され得る。
【０００５】
活性医薬物質の経尿道投与の如き現在において使用もしくは提案されている膀胱の種々の治療は、尿道を通して膀胱内に挿入された剛性シャフトの先端に設置された単一針を用いて膀胱内へ治療用流体を送ることを伴う。薬剤の如き治療用流体を膀胱内へ注入するために剛性シャフトの先端に単一針を使用することは、種々の困難性もしくは望ましくない影響を伴い、困難な処置でもあり得る。膀胱の組織へ注入のために使用される単一針を備える剛性シャフトは、所望の単一の箇所へ、もしくは、複数回の流体供与のために複数箇所へ針を置き、且つ針の先端箇所に対して圧力を加え、所定位置へ操作、旋回、転回等されなければならない。
【先行技術文献】
【特許文献】
【０００６】
【特許文献１】特開２０００−１４６６３号
【発明の概要】
【発明が解決しようとする課題】
【０００７】
治療薬は、最少限の不快感および処置時間を以て、且つ供与場所および供与量に関し可能な限り最良の精度を以て供与されるべきである。故に、下尿路、腎臓、尿管等に対して治療用流体を供与する優れた装置の提供に対する継続的な要望が存在する。
【課題を解決するための手段】
【０００８】
本発明は、多機能流体(例えば薬物もしくは他の治療薬等)の供与装置を含む。これらの装置によれば、例えば膀胱、膀胱頚部、腎臓、尿管、尿道、前立腺等の男性もしくは女性の尿路内の場所で、化学物質および生化学物質等の生物学的活性種および薬剤の局所的供与が可能である。前記装置は、単一装置を用いて、下尿路、腎臓および尿管内の種々の組織箇所、ならびに、複数の異なる組織箇所における薬剤の供与を可能にする。種々の泌尿器疾患状態の治療に対して、薬理学的、化学的および生物学的な薬剤の輸液、注入または滴注を提供する装置および方法が有用である。前記装置は、流体供与の精密さおよび精度に基づく優れた治療のために精確な場所に、注入もしくは滴注のために精確な量の流体を供与し得る。
【０００９】
前記の多目的で多用途の経尿道薬剤供与装置によれば、医薬、蛋白質、遺伝子、化学物質および細胞の如き生体活性に影響し得る薬剤は、膀胱(本明細書で使用される“膀胱”とは膀胱頚部を含む)等下尿路の一つ以上の局所領域に対し、または、尿管、腎臓、前立腺、尿道等の内部に対し、精確に供与され得る。
【００１０】
前記装置は、同一のまたは異なる種類の流体を供与するために、複数の種々の制御可能な深度による組織浸入、複数回の弧状屈曲(arc)、および、複数回の“投出(throw)”(即ち、目標組織内への流体量の浸入深度および場所)を提供し得る。前記装置は、流体供与の場所および量に関して流体供与の優れた設置および精度、患者の優れた快適性および安全性を可能にする、一つまたはそれ以上の可撓性もしくは剛性シャフト等の設計上の特徴、尿を排出するための選択的な流体排出機能、前記装置の先端を操縦して供与場所の精度を改善する機能、前記装置の先端で撮られた、組織および伸張した供与オリフィスの一つ以上の光景に対するユーザによるアクセスを可能にする光学的特徴、複数の流体供与オリフィス、伸張可能な流体供与オリフィス、二以上の異なる流体の供与を可能にする複数の流体供与システム、の内の一つ以上、または患者の快適性と治療の有効性との要求に依存した特徴の任意の組合せを含み得る。
【００１１】
前記装置の利点として、医師による薬剤供与の容易さおよび精度が挙げられ、狭窄、尿路感染、BPH、前立腺炎、過活動膀胱、および、尿管の炎症および閉塞等の種々の男性および女性の泌尿器疾患状態の在室治療のための手段となる可能性が伴う。同様に前記装置は、更に患者をより一層快適にしかつ回復させる。
【００１２】
一実施形態による装置の概略的特徴は以下の一つ以上を含み得る：可撓性および剛性の膀胱鏡もしくは供与装置の有用性と比較して優れた快適性および有用性、高供与効率、在室治療能力、大きなリザーバ容量による複数回の供与、注入、弧状屈曲および“投出”(前記の“投出”の定義を参照)、高融通性、即ち、尿路および膀胱の全体に亙る機能性、および、例えば異なる場所に複数種類の異なる薬剤、または多量の同一のもしくは異なる薬剤を供与する能力。
【００１３】
一実施形態に依れば前記装置は、基端および先端を有するシャフトを含む実質的自蔵式の装置であって、前記先端に流体供与オリフィスおよび前記基端に本体を備えた装置であり得る。前記本体を含む前記装置は、前記先端に連結された光学機器、前記流体供与オリフィスと連通する流体リザーバ、前記流体リザーバと連通する圧力源、前記光学機器の照射使用のための光源、および、先端特徴を起動するアクチュエータ、トリガ等の関連機構であって、先端を操縦する基部操縦アクチュエータ、オリフィス延長部を移動する基部トリガ、または、流体の供与を引き起こす基部トリガの如き関連機構の如き特徴を含み得る。選択的実施形態は、前記装置の先端で、流体供与オリフィスの基端側に流体リザーバおよび圧力源を設置し得る。更なる他の選択的実施形態は、前記装置の基端から離間して遠隔コンソール等に圧力源、流体リザーバ、または両方を設置し得る。前記遠隔コンソールは、装置の基端もしくは本体の、一個以上の流体供与路と流体により連通するポートを介して前記基端または本体に連結できる。
【００１４】
下尿路、腎臓、尿管等の組織に対して流体を供与する本発明に係る例示実施形態は、基端と、前記基端から先端まで延在する可撓性シャフトと、前記シャフトの先端で前記シャフトから伸張可能な流体供与オリフィスとを含み得る。前記流体供与オリフィスは、針もしくは無針式流体供与オリフィスであってよい。
【００１５】
前記装置は、一つ以上の針もしくは無針式流体供与オリフィスであって、各々が前記シャフトから独立に突出もしくは伸張且つ収縮する供与オリフィスを含み得る。
【００１６】
本明細書中に記述された他の任意の特徴と組み合わされた装置は、前記シャフトの長手に沿って配置された複数の無針式供与オリフィスを含み、各供与オリフィスは、組織に対する注入もしくは組織表面に対する滴注のために流体を独立に放出し得る。
【００１７】
本明細書中に記述された他の任意の特徴と組み合わされた装置は、前記シャフトの周縁部の回りの複数の位置に配置された複数の供与オリフィスを含み、各流体供与オリフィスは、組織に対する注入もしくは組織表面に対する滴注のために流体を独立に放出し得る。
【００１８】
本明細書中に記述された他の任意の特徴と組み合わされた装置は、先端から基端まで延在する排出管孔を含み、前記排出管孔は、前記装置が患者の体内に設置されたときに膀胱から尿を排出し得る。
【００１９】
本明細書中に記述された他の任意の特徴と組み合わされた装置は、使用時に膀胱または膀胱頚部内への設置のために前記先端にバルーンまたは他の位置決め機構を含み得る。
【００２０】
本明細書中に記述された他の任意の特徴と組み合わされた装置は、先端に、基端に、前記シャフトの長手に沿って、またはそれらの任意の組み合わせにより、一個または複数個の流体リザーバおよび圧力源を含み得る。複数の流体リザーバの各々に供与オリフィスが連結されることにより、異なる流体の供与が可能である。
【００２１】
前記装置は、前記シャフトに沿ってまたは前記装置の最端、即ち、最先端に配置されたオリフィス延長部上で、前記シャフト装置から突出する一つ以上の無針式流体供与オリフィスを含み得る。
【００２２】
例示装置は、基端における本体、前記本体から先端まで延在する可撓性(例えば操縦可能)なシャフト、前記シャフトの先端における複数の流体供与オリフィスであって一個以上の流体リザーバと流体により連通する流体供与オリフィス、一個以上の流体リザーバと連通する一つまたは複数の圧力源の如き、上述の特徴の組み合わせを含み、流体供与オリフィスは、前記装置の長手に沿って又は前記装置の最先端を越えて前記シャフトから伸張および収縮する伸縮可能部材に配置される。
【００２３】
本明細書中で用いられる如く、経尿道流体供与方法における“経尿道(transurethral)”の用語は、尿道内腔の内空間を介して流体供与装置を投入することにより尿道を通りまたは経由して実施される処置を意味し、前記装置は道口(meatus)(男性もしくは女性)または会陰を介して尿道内腔に進入し得ると共に、前記装置の先端は尿道内腔の長手を貫通して、下尿路、腎臓、尿管等の箇所に流体を供与する。
【００２４】
一局面において本発明は、尿路の組織へ流体を供与する装置に関する。前記装置は、基端と、前記基端から先端まで延在する可撓性シャフトと、前記シャフトの先端で前記シャフトから伸張可能な流体供与オリフィスとを含む。
【００２５】
他局面において本発明は、尿路の組織へ流体を供与する方法に関する。前記方法は、本明細書中に記述された如き装置を用意し、前記先端を尿道内へ挿入して流体供与オリフィスを尿路の所定箇所に載置し、伸張可能な流体供与オリフィスを伸張させ、伸張した前記オリフィスを介して流体を尿路へ供与することを含む。
【００２６】
別の局面において本発明は、尿路の組織へ流体を供与する装置に関する。前記装置は、基端と、前記基端から先端まで延在し操縦可能部を備えるシャフト、前記シャフトの先端に流体供与オリフィス、および前記基端と前記先端との間の光学的連通を可能にする光学機器を含む。別の局面は、本明細書において上述された装置の実施形態を使用することにより尿路の組織へ流体を供与する方法に関する。前記方法は、前記装置のシャフトの先端を尿道内へ挿入して流体供与オリフィスを尿路の所定箇所に載置し、前記光学機器を使用して供与箇所を観察し、前記シャフトの先端を操縦し、且つ尿路へ流体を供与することを含む。
【００２７】
本発明の別の局面は尿路の組織へ流体を供与する装置に関し、前記装置は二種以上の異なる流体を供与し得る。前記装置は、基端と、前記基端から先端まで延在するシャフトと、前記先端における第一群の二つ以上の流体供与オリフィスであって、相互に流体により連通し且つ第一流体リザーバと流体により連通する第一群の二つ以上の流体供与オリフィスと、前記先端における第二群の二つ以上の第二流体供与オリフィスであって、相互に流体により連通し且つ第二流体リザーバと流体により連通する第二群の二つ以上の第二流体供与オリフィスと、一つ以上の第一流体供与オリフィスを選択的に開閉する第一カバーと、一つ以上の第二流体供与オリフィスを選択的に開閉する第二カバーと、流体リザーバを加圧し、例えば各流体供与オリフィスから独立に流体を供与し得る圧力源とを含む。関連方法は、本明細書中および上述された如き装置を準備し、前記シャフトの先端を尿道内へ挿入して流体供与オリフィスを尿路の所定箇所に載置し、前記シャフトの先端から複数種類の流体を供与することを含む。
【００２８】
本発明は、例えば前立腺、腎臓、尿管、尿道組織、膀胱(膀胱頚部を含む)の組織等の下尿路又はその近傍の組織に対して流体を供与(例えば注入もしくは滴注)するに有用な装置に関する。前記装置は、尿道へ挿入された細長いシャフトの先端から治療用“流体”を放出する。前記装置は、複数の箇所に流体を放出するための複数のオリフィスであって、固定、または、前記装置のシャフトに対して移動可能な複数のオリフィスを含み得る。複数のオリフィスを含む設計の実施形態として、延在する、拡開された、または、伸張可能なチェーン、ストリング、アレイまたはシーケンス(例えば“デイジー・チェーン”)が挙げられる。各オリフィスは、延長可能なもしくは扇状拡開する針もしくは無針式流体供与オリフィスの如き突出機構(“オリフィス延長部”)に、および、膀胱の内部の回りに流体を供与するための針または複数の無針式注入もしくは放出機構を収容するバルーン等に配置され得る。
【００２９】
本発明は、膀胱の如き下尿路における又はその近傍における組織内、組織等に接触するように、流体を供与(例えば、放出、注入または滴注)する装置、システムおよび方法に関する。前記システムは、例えば膀胱もしくは膀胱頚部の組織内への流体の経尿道的流体供与のために使用されてきた剛性シャフトの先端における単一針を使用するシステムおよび方法の望ましくない又は不都合な特徴を克服し得る。
【００３０】
注入は、無針式流体供与システム(例えば無針注入器システム等)無針式流体供与システムにより、または、針を用いて実施され得る。無針注入器システムは、注入液(流体)を組織内へ浸入させるように加圧され得る流体供給源を含み得る。選択的に流体は、針もしくは無針式流体供与システムから比較的低い圧力で前記オリフィスから単に流出すると共に、例えば組織の表面への流体の“滴注”により、組織へそれほど浸入することなく組織の表面に接触してよい。
【００３１】
装置の実施形態として、任意の有用な形態により配置された無針式もしくは針タイプの流体供与オリフィスの形態の如き複数の流体供与オリフィスが挙げられる。例示としての複数の流体供与オリフィスは、全てが先端に、装置・シャフトの長手に沿って配置され、前記シャフトの長手に沿い、または前記先端からの所望箇所に、前記シャフトから外方に延在もしくは外方に拡開し、且つ例えば尿道、膀胱頚部または膀胱組織の回りの複数の箇所等に、尿路の解剖学的構造の特定箇所に順次的なまたは同時的な複数回の流体供与(同一のまたは異なる流体)を行うべく設計され得る。
【００３２】
例示実施形態に依れば、流体供与オリフィスは、シャフトの長軸を基準に、一つまたは複数の次元で運動し得る。流体供与オリフィスは、例えば前記シャフトの長手に沿って、または前記シャフトの端部または“最先端もしくは最先端部”から“遠方”のように、前記シャフトの長軸に沿う方向において長手方向に運動し得る。この例示実施形態において流体供与オリフィスは、前記先端を含む長軸の方向において前記シャフトの先端(もしくは“最先端”)から突出し得る。二者択一的に又はこれと組み合わせて、流体供与オリフィスは、前記シャフトの長手に沿って所定箇所で、または前記シャフトの前記先端(“最先端”)から遠方における所定場所に、前記シャフトから離れて側方に運動し得る。前記流体供与オリフィスは移動可能なオリフィス延長部(例えば機械的パドル、針、管孔(lumen)、バルーン、薄膜等)の構成要素とされ、前記構成要素は、前記シャフトの長手に沿って所定位置で前記シャフトの側部に沿ってもしくは前記シャフト内において所定位置から伸張および収縮し得るか、または前記シャフトの前記先端(“最先端”)から伸張され得る。
【００３３】
本発明の流体供与オリフィスの特徴は、本発明の一部として含まれ、且つ個別的にまたは任意の所望の組み合わせで流体供与装置に含められ得る。例えば、本発明の実施形態は(例えば“位置決め機構”等の)位置決め用特徴を含む流体供与装置を包むが、特徴は、流体供与装置の適切な位置決めを促進することにより、所望の組織の近傍で流体供与のために流体供与オリフィス(針または無針注入器)の位置決めを促進する。位置決め用特徴は種々の性質であると共に、以下の一つ以上を含み得る。装置の先端を取付け固定するために前記装置の先端に配置された単一もしくは複数のバルーン、複数のオリフィス、移動可能オリフィス、装置の基端における、特徴的先端まで所定距離の区分目印(demarcation)、および内視鏡を位置決めするために使用される光ファイバの如き光学的特徴。例えば、2005年7月21日に出願され米国特許公開公報第2006/0129125号として公開され“無針式供与システム”の名称で同時係属中の本譲受人の米国特許出願第11/186,218号を参照されたく、その全開示内容は本明細書中に援用される。
【００３４】
流体供与装置の他の実施形態は、流体供与オリフィスに対して所望箇所で組織に接触して選択的に圧力を付与する一個以上の組織引張器であって、組織の表面における注入物の供与のために所望される前記組織の緊張もしくは引張も選択的に行い得る組織引張器と共に、前記の特徴の一つ以上を含み得る。例えば全内容が本明細書中に援用される、本譲受人の米国特許公開公報第2006-0129125号を参照されたく、組織引張器の例として、バルーンの如き膨張可能もしくは伸張可能な特徴、または、パドルの如き機械的に伸張可能な特徴、金属ケージ、他の機械的に伸張可能な構造もしくは突起部、真空等が挙げられる。
【００３５】
記述された如き流体供与装置は、流体の注入もしくは滴注の直接観察を可能にする方法であって流体供与オリフィスの内部箇所が視覚的に決定される方法、および流体供与オリフィスの箇所が間接的に決定されるブラインド供与方法と称される方法の如き、種々の供与方法と共に使用され得る。
【００３６】
直接観察法は、内視鏡装置と共に使用される形式である例えば光ファイバ等の光学機構であって例えば前記シャフトの構成要素として流体供与装置に含まれる光学機構を使用して、供与部位を直接的に観察する光学的特徴の使用を伴う。光学的特徴または光学機構は、概ね、シャフト(例えば可撓性シャフト等)内に設置されて先端の箇所に対する基端からの観察を可能にし得る任意の光学的構造とされ得る。有用である可撓性光ファイバケーブルは公知であり且つ市販され、例えば、ガラス、または光を伝達する可撓性ポリマー材料から作成され得る。選択的かつ好適に、先端に、又は先端と光学的に連通して、光源が配置され得る。
【００３７】
一実施形態において、光電球または他の光源(発光ダイオード)が、先端または基端に置かれると共に、光ファイバケーブルにより前記先端に連結され、前記先端と前記基端との間における第二光ファイバは、前記基端における観察のために光を後方へ搬送する。観察用光ケーブルは、レンズに対し、または、カメラもしくはコンピュータの如き電子的な画像捕捉装置に連結され得る。好適実施形態において、小型カメラもしくは電子的カメラチップ(例えば荷電結合素子即ち“CCD”チップ)の形態の電子画像センサ、および、光源が、前記先端に載置されると共に、電子的に前記基端に連結されて先端からの画像を電子的に提供し得る。
【００３８】
ブラインド供与(blind delivery)を可能にする装置は、代わりに、一個以上の非光学的な特徴であって、例えば尿道、膀胱または膀胱頚部等の内部における装置の位置、特に流体供与オリフィスの位置を操作者(例えば医師等)が識別するのを可能にする非光学的な特徴を含むことから、注入もしくは滴注のための流体供与は所望場所で実施され得る。ブラインド供与技術は、装置の基端における区分目印であって、装置の既知寸法および関連する解剖学的構造と組み合わせて前記区分目印を使用することにより先端における特徴部の場所までの距離を参照する区分目印のような長さ測定用特徴の如き前記装置の特徴に基づき、供与箇所を特定し得る。区分目印はまた、例えば超音波式位置測定機器を使用する等の公知技術により前立腺、尿道、膀胱、膀胱頚部等の長さの如き解剖学的特徴の測定と組み合わされ得る。ブラインド供与技術はまた、位置決め用特徴(例えば、装置の先端におけるパドル、延長部、またはバルーンの如き“位置決め機構”等)、および移動可能な流体供与オリフィスの如き、本明細書中に記述された如き装置の他の特徴も含み得る。
【００３９】
本発明の流体供与装置の種々の実施形態は、可撓性シャフト、(“可撓性シャフト”と見做される)操縦可能シャフト、剛性シャフト、使用に先立ちもしくは使用に追随して組立ておよび分解される設計の複数片式シャフト、使用に先立ちもしくは使用に追随して組立ておよび分解されるように設計されない一体的シャフト、および、それらの組み合わせ等の異なる形式のシャフトを含み得る。本発明の特定の装置および方法は可撓性の一体的シャフトであるシャフトを含み、前記装置は、内視鏡の如き光学装置を含まないが、バルーンの如き位置決め特徴を含み且つブラインド供与方法と共に用いられる。他の装置および方法は、内視鏡および本明細書中に記述された如き他の特徴を含む多重構成要素シャフトを含む。更なる他の実施形態は、操縦可能である一体的シャフトを含む。
【００４０】
“操縦可能”シャフトとは、半剛性であり、更に、“可撓性”シャフトであって、装置の基端における一つ以上の操縦アクチュエータの操作により前記シャフトの先端で二次元もしくは３次元で制御(即ち操縦、関節運動、偏向、または、制御可能に屈曲)され得るシャフトを指している。操縦機構は種々の機械的設計形態を含み、一例は、シャフトの壁部内の複数本のケーブルの差動的な押出しおよび引き戻し(または緊張および圧縮)に基づき二次元の運動を可能にする。シャフトの端部の３次元の運動を可能にするために、単一シャフト内にこれらの機構の二つ以上が含まれてよい。
【００４１】
操縦可能シャフトおよび機構は、内視鏡および他の医療装置の分野で知られ理解され、且つ二次元もしくは３次元の運動を可能にするように設計されて、シャフトの遠位先端即ち“最先端”の所定長を装置の基端に向けて直線状に後方に向けて少なくとも90°もしくは少なくとも180°の如く例えば少なくとも45°の所望量にて偏向させ得る。前記最先端の偏向時に生成される屈曲の曲率半径は、所望により選択されてよく、前記シャフトおよび操縦機構の全体的設計形態と、装置の所望用途とに依存し得る。一実施形態に依れば、前記曲率半径は、0.5〜2インチ(約1.27〜5.08cm)(例えば0.6〜1インチ(約1.524〜2.54cm))の長さを有する先端シャフトの一部が膀胱内で180°後方に屈曲するのを可能にする曲率半径であり得る。
【００４２】
前記操縦可能部の長さは、概ね、例えば、0.5〜1.8インチ(約1.27〜4.572cm)または、0.6〜1インチの如くシャフトの端部における2インチのように、所望の如くとされ得る。典型的にシャフトの操縦可能部は、枢動連結部に沿う等、二次元で関節運動し得る。一実施形態に依ればシャフトは、相互に直交する平面である夫々の二次元において各々が操縦可能な二つの部分の如き、二つ以上の操縦可能部を有し得る。例えば、シャフトの端部の0.5〜2インチ(例えば0.6〜1インチ)は第一の二次元において操縦可能とされ、前記シャフトの隣接する0.5〜2インチ(例えば0.6〜1インチ)は第二の二次元において操縦可能とされ、選択的に第二の二次元は、前記第一の二次元により形成される平面に対して直交する平面を形成し得る。
【００４３】
操縦機構の例として、シャフトの長手に沿って蝶番留めされた複数の偏向点を操作することによりシャフトの最先端もしくは一部の操縦(即ち関節運動、偏向など)を可能にする機構が挙げられる。シャフトを二次元で屈曲もしくは偏向させるために複数の制御ワイヤにより操作される。例えば、出願番号第10/955,930号である米国特許公開公報第2006/00784383号、出願番号第11/398,890号である米国特許公開公報第2006/0241564号、出願番号第09/969,927号である米国特許第6,610,007号を参照されたく、それらの各々の全内容は本明細書中に援用される。言及された如く、操縦機構の一つまたは二つ以上が操縦可能シャフトの長手の一つ以上の異なる部分に沿って含まれてよく、二次元もしくは多次元における一つまたは複数のシャフト部の操縦が可能である。
【００４４】
本発明の種々の実施形態は選択的にまたは二者択一的に、装置からの流体の偶発的もしくは不適切な放出を防止する安全性特徴、トリガ機構の如き利便性または効率を付加する特徴、複数種類の流体供与または同一もしくは異なる流体の異なる量の複数回の放出を可能にするシステムおよび方法、注入量もしくは滴注量もしくは浸入深度を制御もしくはプログラムする方法、または一回もしくは複数回の流体供与のための他の特徴を含み得る。
【００４５】
治療用流体の注入を可能にする装置、システムおよび方法が提供される。前記装置は、尿道、膀胱、腎臓、尿管、前立腺等の下尿路または近傍組織の疾患に関する種々の用途に使用され得る。特定実施形態において、医薬または他の活性化学作用物質または生体作用物質の如き流体が、尿道、前立腺、膀胱または膀胱頚部の組織内へ注入され得る。前記装置は、下尿路、腎臓、尿管等の内部の所望箇所に一つまたは複数の流体供与オリフィスを載置して、所望組織へ治療用流体の供与(例えば注入または滴注)を可能にするように設計される。
【００４６】
本発明は、下尿路の組織に対する流体供与の他のモードに関する実際的問題を特定して対処する。例えば単一針を使用して剛性シャフトの先端で膀胱に流体を注入するには、１本の針のみを有する剛性シャフトの扱いにくい性質の故に、特に器用で経験のある医師が必要とされ得る。本明細書中に記載の流体供与装置および方法は、シャフトの選択的な可撓性、複数の針もしくは無針式流体供与オリフィスの使用、および、所望に応じて複数の針もしくは流体供与オリフィスを配置、移動、突出し、開閉して組織内へ流体を注入もしくは組織表面に流体を滴注するために流体を放出する能力等の種々の理由により、剛性シャフトの先端における単一針の使用と比較して好適である。
【００４７】
装置および方法は本明細書中で論じられる種々の特徴を含み、それらの任意の特徴は、別個に、または他の特徴の任意の一つ以上と組み合わせて使用され得る。例示特徴は次のものを含む。複数の分離可能片または単一の“一体的”片による装置のシャフトの構成、剛性シャフトまたは可撓性シャフト、流体供与オリフィスを移動、突出、開閉する能力、複数の流体供与システム(例えば複数のオリフィスおよびリザーバ)、流体供与オリフィスの個数および位置決めに関する特徴であって、装置のシャフトの長手に沿って異なる位置に位置決めされた又は装置のシャフトの周縁部の回りの異なる位置に配置された複数の伸張可能針もしくは複数の伸張可能な無針式流体供与オリフィス、および移動可能な流体供与オリフィスであって、シャフトの長手に沿って、シャフトの周縁部の回りで、シャフトの長手に沿って且つ周縁部の回りで移動可能であるか、又はシャフトの端部から遠方またはシャフトから側方もしくは半径方向に突出する移動可能な流体供与オリフィスの如き特徴、例えば尿道、膀胱または膀胱頚部等の内部で装置の一部の箇所を固定するバルーンまたは他の機構の如き位置決め機構、および、装置の偶発的もしくは不適切な起動または装置からの流体の放出を防止する安全性特徴、および、本明細書中に記述された他の特徴。
【００４８】
本発明の装置は、一つ以上の流体リザーバと流体により連通する一つ以上の流体供与オリフィスを含む。流体リザーバは、装置の先端で一つまたは複数の流体供与オリフィスから流体の一回または複数回の放出を可能にするに足りる分量の所定量の流体を含む。管孔が流体供与オリフィスを流体リザーバに連結してよく、前記管孔は、装置の基端もしくは先端に、または装置の基端から離間してコンソール内に位置決めされ得る。一本または複数本の流体供与管孔は、例えば、シャフトの先端に、シャフトの基端における箇所に、シャフトの基端に配置された本体に、または遠隔コンソールにおける如く前記シャフトおよび本体から離間する等の装置の任意の部分に配置された流体リザーバに流体供与オリフィスを連結してよい。
【００４９】
一つの例示タイプの流体供与装置は、概ね、基端に本体を含み得る。前記本体は、例えば前記本体の操作により装置・シャフトを挿入する等、ユーザが前記装置を把持して操作するのを可能にする取手を含み得る。本体は、また、起動用特徴であって、例えば操縦可能シャフトの操縦可能先端を操縦して、流体供与を起動し、移動可能もしくは突出可能な流体供与オリフィス、選択的ポートを移動させて前記本体を遠隔コンソールに連結する起動用特徴、および、光学的特徴を介した観察を可能にするレンズの如き選択的な光学的特徴も含み得る(供与場所を観察するために)。
【００５０】
本体は選択的に、一つ以上の流体チャンバ(例えばリザーバ)と、流体に対して圧力を付与する機構とを含み得る。前記本体にシャフトが取付けられる。流体チャンバは流体リザーバ、注入器もしくは注射器チャンバであってよく、または装置はその両方を基端または先端に含み得る。リザーバとは、流体のための固定容積の保持空間を指し得るが、必ずしも、例えば流体供与管孔を経由して針もしくは無針式流体供与オリフィスから流体を起動もしくは放出するために加圧される等低圧もしくは中圧もしくは高度に加圧され得る必要はない(但し、されてもよい)。前記圧力は、流体が組織へ浸入するために、または浸入せずに組織の表面に付与されるに十分とされ得る。リザーバは、一回分または複数回の分量の流体を収容するように寸法設定され得ると共に、取外し可能または交換可能な小瓶の形態とされ得る。
【００５１】
流体チャンバもしくはリザーバの別のタイプの例示注入器チャンバが説明される。前記チャンバは可変容積を有し、チャンバの容積(および圧力)を増加もしくは減少させるプランジャ、ピストン、ベローズまたは他の機構等に基づいて可変する。注入器チャンバは、前記注入器チャンバ内に収容された流体が前記注入器チャンバから圧力下で放出され、例えば、装置を起動し、または、供与オリフィスから流体を放出することにより流体を滴注し組織へ浸入せずに組織の組織表面と接触して組織表面を被覆し、または圧力により流体を放出して組織への浸入により流体を注入するように、プランジャ、ベローズまたはピストンに取付けられた圧力源により加圧され得る。前記圧力源は、スプリング、ソレノイド、圧縮空気、手動注入器、電力、油圧、空気圧源等の任意のエネルギ源(例えば機械的、電気的等)とされ得る。
【００５２】
前記本体に取付けられた例示流体供与装置は、例えば道口を通り、または会陰切開部を通り、好適には道口を通り、尿道内へ挿入される細長いシャフトを含み得る。好適には、外部切開の代わりに道口を介して装置を設置する能力によれば、患者は外来患者をベースに治療される。可撓性シャフトの使用は、患者の快適さを改善する。
【００５３】
前記装置は先端および基端を含む。シャフトを含む先端は、概ね、治療処置の間に患者の体内内部に位置決めされる装置の部分を含むと考えられる。先端は典型的に、使用の間に流体もしくは組織に対して作用する機能的特徴であって、一つ以上の流体供与オリフィス、一つ以上の供与オリフィスを支持もしくは収容する供与ヘッドもしくは延長部(“オリフィス延長部”)、使用されるならば一個以上のバルーンまたは他の形態の位置決め装置または位置決め機構、排出管孔に連結された選択的な排出オリフィス、無針式流体供与オリフィスに対するアクセスを可能にする選択的な開閉機構、光学機器等の機能的特徴を含む。先端は、また、流体リザーバ、加圧機構、流体リザーバを流体供与オリフィスに連結する流体供与管孔、またはこれらの二つ以上の任意の組合せ等の流体供与手段も含み得る。
【００５４】
オリフィス延長部は、流体供与オリフィスをシャフトから所定距離だけ移動させるように操作および制御され得る任意の構造であり得る。一例は機械的パドルであり、前記パドルは、起動されてシャフトから離間拡開し且つシャフトに向けて引き戻され得ると共に、前記パドルの移動可能端部に前記パドル自体上の流体供与オリフィスを含み、また前記パドルの他端は前記シャフトに設置されている。オリフィス延長部の別の例は、前記シャフトの長手に沿って所定場所または前記シャフトの端部(“最先端”)における所定箇所から伸縮する伸張可能な管孔である。オリフィス延長部の更に別の例は、前記バルーン上の所定場所における一つまたは複数の流体供与オリフィスと、前記流体供与オリフィスをシャフトに連結する管孔(例えば伸張可能な管孔等)とを含むバルーン、扇(fan)または他の薄膜(membrane)構造である。前記バルーン、扇または薄膜は、膨張、外方拡開または展開されて、流体供与オリフィスを前記バルーン、扇または薄膜と共にシャフトから離間し移動させる。
【００５５】
伸張可能管孔を含むかまたは伸張可能管孔の形態であるオリフィス延長部に関し、“伸張可能管孔”とはシャフトから伸張され得る管孔である。伸張可能管孔は、シャフトの長軸に沿って長手方向で構成要素を含む方向において、またはシャフトの長軸から側方に構成要素を含む方向において、または両方向に構成要素を含む方向において、シャフトから所定距離へ前記管孔のオリフィスを伸張させるように(即ちオリフィスをシャフトから離す)移動する。
【００５６】
伸張可能管孔は、概ね本明細書中に記述された如き流体を供与し得る任意の管孔であり得ると共に、必然的に、所望の運動、機械的特性および流体供与を可能にするに適宜寸法および構造および機械的特性とされ得る。縮小寸法、所望の可撓性および弾性、および大きな流体圧力に耐える強度および能力を組み合わせることが有用である。管孔の材料、壁厚、および、内径および外径等の特徴が組み合わされて、所望の強度および可撓性が得られる。内径は好適には圧力低下を少なくするために十分に大寸とされ、所望の壁厚および材料は所望の圧力抵抗および可撓性を可能にする。
【００５７】
管孔構造は、管孔の全長に沿って、連続的な内径、外径および壁厚を呈し得る。選択的に管孔は、基端に大きな壁厚(更に大寸の外径)および先端には小さな壁厚(更に小寸の外径)として、前記管孔の長手に沿って寸法(例えば壁厚等)が変化してもよい。本明細書中に記述された管孔に対する例示寸法は、全体的なシステム設計形態に依存し、且つ流体が注入により供与されるのか滴注により供与されるかに依存し、圧力低下、強度および可撓性を含む特性のバランスに適した任意寸法とされ得る。所定のバランスは、例えば、比較的に小寸の内径は圧力低下を大きくし、薄い管孔壁は可撓性を高めるが強度を低下させ得るから必要である。遠隔コンソール(後述を参照)を含む装置に対し、流体の注入(滴注と比較して)のために、内径の例は、例えば0.022〜0.030インチ等の0.020インチ超とされ(以下におけるポリエーテルエーテルケトン即ち“PEEK”で作成された管孔に対して)、同一例示管孔についての例示外径は、少なくとも0.032インチ、例えば0.034〜0.045インチとされ得る(1インチ＝約2.54cm)。
【００５８】
管孔は、適宜可撓性、弾性かつ強力である任意の材料であって、金属(例えばニチノール、ステンレス鋼、または医療装置に有用な他の金属)、金属強化ポリマー、ポリマー複合材料、またはポリマー材料で作成され得る。代表的な管孔は、ポリイミドの如き高強度ポリマー、Ultem（登録商標）の商標名でゼネラル・エレクトリック社から入手可能なポリエーテルイミド、およびVictrex plc社から入手可能なPEEK（登録商標）(ポリエーテルエーテルケトン)等の直鎖芳香ポリマーで作成され得る。幾つかの実施形態において、非金属ポリマー管孔は、ナノ粒子、粘土もしくはガラス等の材料を含めることにより補強され得る。現在において企図される幾つかの実施形態において非金属ポリマー管孔は、例えばケブラーまたは他の高強度ポリマーにより編組された管材の如く、一種類以上のポリマー、カーボン、グラファイトまたはガラス繊維により補強され得る。例えば、2006年11月21日にクランクにより出願されて“噴射注入装置のための注入管”と称された米国仮特許出願第60/866,741号を参照されたく、その全内容は参考として本明細書中に援用される。
【００５９】
管孔は、少なくとも約2,000ポンド／平方インチ(psi)を超える破裂強度、および、一実施形態において約2,000psi〜約5,000psiの範囲内の破裂強度を有するように製作されてよい。管孔は膨張特性を有するように製作され、その場合に管孔の先端に配置されたオリフィスもしくは噴射ポートは、治療流体を供与するために使用される流体噴射上に悪影響を与える膨潤を伴わない形状および寸法を保持する。
【００６０】
例示流体供与装置の基端は、使用時に患者の外部に留まる本体を含み得る。基端は、装置の使用時にシャフトの操作等の装置の取り扱いを可能にする構造(例えば取手または他の形式の把持体)を含み得る。基端は、また、治療処置時に内部となる必要のない又は内部となり得ないという他の特徴も含み得る。基端の一部であり得る本体等の特徴の例としては、流体供給源およびその流体に対する圧力源、装置に含まれるなら、内視鏡と共に使用される形式の接眼鏡、または、他の光学的特徴、管孔、管孔延長部、流体供与手段、または、先端における別の特徴を保持もしくは起動するためのトリガもしくは取手の如き、機械的特徴、電源、圧力源、流体供給源または真空源の如き、付属機器に基端を取付けるアダプタ、排出管孔に連結される排出ポート等が挙げられる。
【００６１】
本体は、また、選択的もしくは付加的に、外部もしくは遠隔の圧力源、真空源または外部もしくは遠隔の流体リザーバの如き外部および選択的には遠隔の構成要素に本体を取付けるための一つ以上の取付ポートも含み得る。例えば本体は、流体供給源を含むコンソールに遠隔的に取付けられる流体ポートを有し得る。前記コンソールは、流体リザーバと、流体を加圧して前記コンソールから、本体を通り、シャフトにおける流体供与管孔を通り、その後に流体供与オリフィスを通る前記流体を加圧する圧力源とを含み得る。
【００６２】
流体供与装置のシャフトは細長い構成要素であってよく、前記細長い構成要素は、概ね、基端から先端まで延在し、且つ前記細長い構成要素は、基端または他の外部特徴の使用および操作により先端の特徴の使用および操作を可能にする特徴および構成要素を含む。シャフトは、概ね、所望に応じて種々の構成にされ、例えば、使用に先立ち、使用時に、または使用後に組立ておよび分解されるように設計されない一体的構成とされ得るか、または手術処置において使用されるべく組立てられた全体物として相互に嵌合する複数の細長いシャフト構成要素もしくは要素を含む複数片構成であって所望により使用の前後に組立ておよび分解される複数片構成とされ得る。例えば、可撓性、剛性、一体的または複数片で構成される異なるタイプのシャフトを記述する米国特許公開公報第2006/0129125号を参照されたい。
【００６３】
多構成要素または一体的構造型のシャフトはいずれも、可撓性、操縦可能または剛性であり、任意の斯かるタイプのシャフトは、本明細書中に記載された装置の特徴の内の任意の特徴を含み得る。
【００６４】
任意タイプのシャフトに対し、または任意タイプのシャフトの構成要素に対して、金属またはポリマー材料が有用であり得る。剛性な複数片シャフトに対して特に有用であり得る材料としては、硬質プラスチックまたは剛性金属材料または剛性セラミック材料または複合材料等の剛性ポリマー材料が挙げられる。特定例としては、ニチノール、ポリカーボネート、ステンレス鋼、ABS、ポリイミド、ポリエーテルイミド、ナイロン、PEEK等が挙げられる。
【００６５】
可撓性シャフト、または複数片シャフトの可撓性構成要素に対して有用な材料は、(例えばフォーリー・カテーテル等の)尿道カテーテルの如きカテーテル装置に対して有用であると知られたポリマー材料等の、相対的に可撓性のポリマー材料であり得る。可撓性ポリマー材料の特定例として、シリコーン、ポリウレタン、ポリエーテル・ブロック・アミド等のブロック共重合体、ゴム、ラテックス等が挙げられる。
【００６６】
操縦可能シャフトに対して有用であり得る材料として、可撓性シャフトに対して上に列挙された同一材料の幾つかが挙げられ、金属もしくは剛性ポリマー(例えば蝶番)、支持部もしくは外層用の剛性もしくは可撓性ポリマー、金属強化ポリマー等が含まれる。
【００６７】
流体供与装置のための単一構成要素、もしくは“一体的”シャフトは、装置製造時点で実質的にもしくは完全に組立てられるシャフトであって、使用に先立ちまたはその後に組立てもしくは分解されるようには設計されない。前記シャフトは、可撓性、操縦可能または剛性であり、金属もしくはポリマー材料または斯かる材料の組み合わせにより製作され得る。可撓性一体的シャフトは、流体供与装置の基端から先端まで延在する可撓性の細長い構成要素であり、一つ以上の針もしくは無針式流体供与オリフィスもしくは斯かるオリフィスのための開孔、管孔、トリガ、起動機構、操縦機構、操縦可能シャフトのための蝶番、光学機器等の必要な機能要素を形成しもしくは含み、先端における特徴を基端からもしくは遠隔的に操作する。一体的シャフトのこれらの特徴は、シャフトから取り外されるように又はシャフトの複数の構成要素へ分解されるようには設計されない装置の実質的永続的特徴であり得る。
【００６８】
一実施形態に依れば、一体的シャフトは、可撓性ポリマーから製作された可撓性シャフトであり、管孔(例えば流体供与管孔、排出管孔、膨張管孔等)、起動機構、光ファイバの如き光学機器、および先端の特徴もしくは機構を装置の基端に連結する他の任意の必要機械的特徴を含み得る。前記各管孔は、シャフト、またはシャフトの内壁もしくは外壁もしくは表面により形成され又はそれらの内部に埋設された可撓管孔であり得る。
【００６９】
必要であれば管孔は、先端における流体供与オリフィスを基端における流体の加圧供給源に連結する流体供与管孔の場合のように、動作圧力に耐えるに十分な強度を有する。例示的な高圧(“注入圧力”)は、2000ポンド／平方インチ以上とされ得る。流体供与管孔は、斯かる注入圧力に耐え得る可撓材料(例えば金属もしくはポリマー管材)であり、例えば、本明細書中の他の箇所に記述された如きニチノール、ステンレス鋼、補強ポリマー(例えば編組された)で製作され得る。
【００７０】
流体供与管孔は、また、本明細書中に記述された如く流体供与オリフィスの運動を可能にするように構成され且つ組立てられ得る。一例として流体供与管孔は、シャフトの長手に沿って長手方向に移動し、前記流体供与管孔は、先端方向、および選択的に例えばシャフトの最先端から側方に伸張され得る。選択的もしくは付加的に流体供与管孔は、シャフトの長手に沿って所定位置で前記シャフトから離れ、前記シャフトの側部から離れ、シャフトに対して運動する流体供与オリフィス延長部を屈曲もしくは偏向させることにより、シャフトの長軸から離間する前記流体供与オリフィスの側方運動を可能にする。
【００７１】
起動機構は、所望に応じて針(または他の流体供与オリフィス延長部)を伸張させ、先端における注入器もしくは圧力源を起動し、流体供与オリフィスを含む流体供与オリフィスもしくはオリフィス延長部を移動させ、基端と先端との間で装置を操作するために使用されるワイヤ、ヒンジ、レバー、または他の連結もしくは機械的装置の如き機械的もしくは電子的な特徴もしくは連結を含みまたはそのような形態にされ得る。基端における起動機構の他の例としては、注入液を圧力下で流体供与管孔を介して針もしくは無針式流体供与オリフィスへ流し組織に滴注もしくは注入を行うために有用なプランジャまたは他のアクチュエータが挙げられる。
【００７２】
“可撓性シャフト”の用語は十分に柔軟なシャフトを指し、前記シャフトは、道口または外部切開部を介して尿道内へシャフトが挿入されるのを可能にすべく屈曲および撓曲し、且つフォーリー・カテーテルにより行われ得る如く尿道、および選択的には膀胱頚部もしくは膀胱内へシャフトの先端の一部が案内されるのを可能にする。可撓性シャフトは、フォーリー型カテーテルにおける如く患者の解剖学的構造に適合もしくは部分的に適合する十分に軟質かつ柔軟であり得る。対照的に、“剛性”シャフトは実質的に剛性であり、複数片構造に使用され、使用時における基端の操作による先端の制御を可能にする。剛性シャフトは典型的には、例えば剛性内視鏡もしくは腹腔鏡手術装置と共に使用される金属もしくは同様の剛性タイプのシャフトであってよい。“操縦可能”シャフトは非剛性かつ可撓性であり、記載目的から操縦可能シャフトは“可撓性”であると考えられるが、操縦機構を含む構成の故に、典型的なフォーリー型カテーテルのシャフトよりも僅かに撓曲性が低くなり得る。“操縦可能”シャフトは、操縦可能な内視鏡または他の操縦可能な医療装置について使用される形式とされ得る。
【００７３】
操縦可能もしくは可撓性装置・シャフト等のための一体的シャフトは、フォーリー・カテーテル、操縦可能な内視鏡装置等の公知の尿道カテーテル・装置の製作に使用されるのと類似の材料および方法により構成され得るが、一つまたは複数の流体供与オリフィス(例えば針もしくは無針式流体供与オリフィス)および選択的に本明細書中に記述された如き他の特徴を装置が含むように構成され得る。一体的シャフトは以下の内の任意の一つ以上を含み得る。一つまたは複数の流体供与オリフィス(例えば可撓性)、シャフトの長手もしくは周縁部に沿って移動する移動可能な流体供与オリフィス、シャフトから離間して側方もしくは長手方向に流体供与オリフィスの突出を可能にするオリフィス延長部((例えばパドル等)機械的延長部、バルーン、針、または、伸張可能管孔等)、組織引張器、装置を位置決めするバルーン、可撓性光ファイバケーブルの如き光学的特徴、無針式流体供与オリフィスを選択的に露出して、複数の流体供与オリフィスの内の任意の一つまたはその他から流体の放出(注入または滴注)を可能にするポートもしくは他の開閉機構、一つまたは複数の流体供与オリフィス(即ち並列もしくは直列のオリフィス)を各々が含む一本または複数本の管孔延長部、シャフトから別個にまたは共働して伸張可能な管孔延長部のアレイ等。これらの特徴の任意の一つ以上は、装置の所望長さに沿って、または装置の先端の所定箇所に、または一体的シャフトに沿って配置され、管孔または起動機構により基端に機能的に連結され得る。
【００７４】
一体的シャフトは、可撓性シャフトを含む装置であって、使用時に装置を位置決めするために先端に一つ以上のバルーンの如き装置位置決め機構を含む装置に特に有用である。装置位置決め機構を使用すると、内視鏡の如き光学的特徴に対する必要性が好適に排除され得ることから、流体供与はブラインド観察法により実施され得る。(装置の更に他の実施形態は、光学的特徴と組み合わせて可撓性シャフト(例えば操縦可能)を含む。)本発明の特定装置は、一体的な可撓性シャフト、装置の先端から複数回の流体供与を行い、選択的にシャフトの長手もしくは周縁部に沿って移動可能であり又はシャフトから伸張可能な複数の針もしくは無針式流体供与オリフィス、複数種類の異なる流体の供与を可能にする複数の流体供与システム、および先端における一つ以上の膨張可能バルーン、および最先端部における排出オリフィス、および膀胱(設置されたときに)から装置の基端に通じる排出管孔の如き、尿道カテーテルの他の特徴を含み得る。可撓性シャフト、膀胱から尿を排出する排出管孔(例えばフォーリー・カテーテルが行うように)、および選択的バルーンを含む斯かる装置は、本発明において“流体供与カテーテル”形態と称され得る。使用に際して“流体供与カテーテル”形態は、剛性シャフトによる流体供与装置における如く外部切開部および組織通路を介して尿道へ挿入されるのと対照的に、フォーリー・カテーテルによるのと同様に、尿道の外部オリフィス(道口)を介して挿入され得る。
【００７５】
一体的シャフトは、また、可撓性操縦可能シャフトを含む装置であり、ユーザが流体供与場所を観察し且つユーザが供与場所で所望により前記装置の先端もしくは最先端を操縦するのを可能にし、流体供与の精確な載置を可能にする光学機構(供与箇所を照射するライトを含む)を含む装置に特に有用であり得る。本発明の特定の装置は、一体的な操縦可能シャフト、装置の先端からの複数回の流体供与(同一のまたは複数の異なる種類の流体)を行う一つまたは複数の針もしくは無針式流体供与オリフィスを含み、各流体供与オリフィスは選択的且つ好適には、装置の長手もしくは周縁部に沿って移動可能であり、またはシャフトから離間して長手方向に、先端方向にまたは側方に伸張可能であり得る。前記装置は選択的に、先端における排出オリフィス、および膀胱(設置されたときに)から装置の基端まで通ずる排出管孔の如き、尿道カテーテルの他の特徴を含み得る。使用に際し、操縦可能シャフト、排出管孔および光学的特徴を含むこれらの装置形態は、剛性シャフトによる流体供与装置における外部切開部および組織通路を介して尿道へ挿入されるのと対照的に、フォーリー・カテーテルによるのと同様に、尿道の外部オリフィス(道口)を介して挿入され得る。
【００７６】
一体的シャフトと対照的に、“多重構成要素”シャフトと称されるシャフトは、組立てられた全体物として相互に嵌合する二個以上の細長い部材片もしくは構成要素であって使用に先立ちまたは使用後に分解され得る二個以上の細長い部材片もしくは構成要素を含み得る。多重構成要素シャフトの典型的な構成要素は、細長い剛性中空鞘の形態である外シャフトもしくは“鞘”と、前記外シャフトと一体的に組立てられて機能的な組立て済み多重構成要素シャフトを形成し得る一個以上の付加的な内シャフト構成要素とを含む。
【００７７】
多重構成要素シャフトの外シャフトもしくは“鞘”は、一個以上の内シャフト構成要素を含み、尿道内に載置される寸法および形状にされた基本的鞘であり得る。複数片シャフトの鞘構成要素は、中空で剛性な鞘のみを含み得るか、または複数の針もしくは無針式流体供与オリフィス、一つ以上の組織引張器、流体供与管孔もしくは供与ヘッド、一つ以上のバルーンの如き位置決め構成要素、および鞘の先端における機能的特徴を基端に連結する一本以上の管孔の如き、装置の機能的特徴を有する中空で剛性な鞘を含み得る。例示外シャフトは、尿道を介し、または会陰領域における外部切開部を介して患者の体内へ挿入され得る剛性スリーブ(例えば金属または剛性プラスチック製)であり得る。挿入されたとき、一つ以上の内シャフト構成要素は、所望に応じて外シャフト内へ挿入され得る。
【００７８】
多重構成要素シャフトの内シャフト構成要素は、外シャフト構成要素もしくは鞘内に嵌合され得ると共に、針もしくは無針式流体供与オリフィス、一本以上の管孔、一つ以上の供与ヘッド、またはレンズ、開放観察チャネルの如き光学的特徴、組織引張器等の、装置の一つまたは複数の機能的特徴を含み得る。針もしくは無針式流体供与オリフィスを含む内シャフトは、例えば内“流体シャフト”と特に称され、内シャフト構成要素の基端に一本または複数本の流体供与管孔を介して連結された先端における一つまたは複数の針もしくは無針式流体供与オリフィスを含み得る。選択的に内シャフト構成要素(または針、流体供与オリフィスまたは供与ヘッドの如き前記構成要素の特徴)は、使用時に供与ヘッドまたは流体供与オリフィスの移動を可能にする等の任意の理由により、概ね外シャフト構成要素またはシャフト内で移動可能である。
【００７９】
同様に選択的に、本発明の実施形態は、複数の装置特徴を単一の剛性シャフト構成要素へ組み合わせてよい。例えば剛性シャフト構成要素は、外鞘を内流体シャフトに組み合わせ、内視鏡を受容する寸法および形状にされ得る。選択的に剛性シャフト構成要素は、外剛性鞘を内視鏡と組み合わせ、流体供与管孔と流体供与オリフィスとを収容する内“流体シャフト”を受容する寸法および形状にされ得る。更に別の代替策として内視鏡は、また、組立ておよび分解されるように設計されない単一剛性シャフトへ、外シャフト構成要素および注入特徴を組み合わせることができる。
【００８０】
概ね、種々のシャフト設計の任意設計が、ブラインド観察法または直接観察法のいずれにも一緒に使用され得る。光学的特徴は、内視鏡型装置に有用であると知られた光ファイバ装置または他の光学装置の任意形態の光学的特徴等と共に、公知の材料および構成を用いて、多重構成要素シャフト、一体的シャフト、剛性シャフト、操縦可能シャフトまたは可撓性シャフトの内の任意シャフトに取入れられ得る。装置の基端には接眼鏡が配置され得ると共に、一つ以上の開放観察チャネル、光ファイバ、レンズ、複数レンズ、ミラー、屈折もしくは反射装置、またはこれらの組み合わせが使用され、装置の基端と先端における場所との間の視覚的連通が形成され得る。例えば可撓性シャフト(操縦可能である等の)に関し、可撓性光ファイバは、装置の基端における接眼鏡から装置の先端まで、シャフトに沿って所定箇所に延在し得る。前記光ファイバは、例えば流体供与オリフィスを観察する場所等で、シャフトの先端の観察を可能にする。
【００８１】
直接観察法に依れば、光ファイバの如き光学的特徴は、選択的には操縦可能シャフトの先端と組み合わせて内部尿道、膀胱、膀胱頚部、尿管もしくは腎臓の如き内部組織を観察するために使用され、直接観察法は、所望に応じて例えば前立腺嚢、膀胱頚部、膀胱、尿管、腎臓等の内部における流体供与オリフィスまたは複数の流体供与オリフィスの精確な載置を促進し得る。
【００８２】
他方、ブラインド観察法は、光学的特徴に対する必要性を排除し得ると共に、代わりに、装置の既知寸法等の他の特徴を使用することにより注入針または無針式流体供与オリフィスの位置決めに依存し、または一個以上の先端バルーン等の装置の先端の特徴、もしくは基端バルーン、または所望の組織箇所にブラインド流体供与を共に可能にする他の位置決め機構、装置の基端における距離区分目印、組織引張器、移動可能オリフィスを位置決めすることに依存してよい。
【００８３】
シャフト特性(例えば剛性または可撓性シャフト(例えば操縦可能な)等の)および本明細書中に記述された他の特徴の任意の組合せは、所望に応じて流体供与装置に有用であり得る。幾つかの特殊な特徴または各特徴の組み合わせは、剛性もしくは可撓性シャフトの設計のいずれかに特に有用であり得る。剛性の多重構成要素シャフトまたは操縦可能な一体的シャフトは、直接観察特徴と組み合わされれば特に有用であり、装置の先端における一つ以上のバルーンの如き他のタイプの位置決め特徴の使用を選択的に排除し得る。
【００８４】
装置の一定の一体的可撓性シャフトの実施形態は、可撓性シャフトを含むので有用であり、可撓性シャフトにより患者に快適さを与え、尿道にアクセスするための外部切開部の必要性の排除し(剛性シャフト設計により通常的に使用される如き)、かつ、移動可能もしくは伸張可能な針またはシャフトから側方もしくは先端方向に突出する無針式流体供与オリフィス、または装置の先端における注入バルーンの如き位置決め特徴の使用に基づくブラインド観察流体供与法を選択的に使用できる利点を有する。可撓性シャフト・装置は、所望に応じて、例えば膀胱内に装置の先端を設置かつ固定して一つ以上の針もしくは無針式流体供与オリフィスを配置する特徴(即ち“位置決め特徴”または“焦点合わせ特徴”)を含む可撓性シャフトを含み得る。好適には前記可撓性シャフトは、外部切開部、または、外部切開部から尿道までの組織通路を必要とせずに(例えばフォーリー・カテーテルに使用される挿入方法)外部尿道オリフィス(道口)を介して挿入され得る。位置決め特徴を使用すると、先端を位置決めする光学的構成要素に対する必要性が回避され得る(但し、他の可撓性シャフト形態は直接観察のために光学的特徴を好適に含み得る)。例示の非光学的位置決め特徴は、基端における観察可能な距離区分目印であって、先端、流体供与オリフィス、または膀胱もしくは膀胱頚部もしくは膀胱に対して位置決めする特徴(バルーンまたは他の特徴等)の場所を測定するために使用される距離区分目印、装置の既知寸法、一つ以上のバルーン、シャフトから膀胱内へ突出して膀胱内における所望の載置を可能にする針もしくは無針式流体供与オリフィス、またはシャフトの先端における他の位置決め用特徴、の内の一つ又は組み合わせを含む。また、光学的特徴に対する必要性を回避するには、複数のもしくは移動可能(例えば突出可能)な流体供与オリフィスの如き複数のまたは移動可能な特徴が有用である。複数の流体供与オリフィスは、装置の先端の長手もしくは周縁部に沿って複数の位置に配置され得ると共に、針もしくは無針式流体供与オリフィスの複数の箇所の内の任意の場所に流体を供与すべく独立に使用され得る。移動可能な針もしくは無針式流体供与オリフィスは、装置が内部にある程度まで固定された後、装置の長手もしくは周縁部に沿って針もしくは無針式流体供与オリフィスの移動を可能にする。選択的に、突出可能な流体供与オリフィスは、装置のシャフトの先端もしくは最先端から遠方へ突出し、シャフトに沿って側方に突出し、またはシャフトに沿って側方且つ基端方向もしくは先端方向のいずれかの方向(長手方向)に突出し得る。
【００８５】
本発明の装置の実施形態に依れば、複数の針もしくは無針式流体供与オリフィス(集合的に“流体供与オリフィス”)は、シャフトに沿って単一もしくは複数の場所であって、設置時に、例えば膀胱(膀胱頚部を含む)内または下尿路の他の箇所等の患者の体内の所望箇所に前記針もしくは無針式流体供与オリフィスを載置する場所で装置の先端に位置決めされる。前記針もしくは無針式流体供与オリフィスは、組織内へ流体を注入し又は内部組織の表面を滴注もしくは被覆するために流体供与オリフィスから流体を放出するように加圧され得る流体供給源(複数のオリフィスに対する一つまたは複数の流体供給源)に流体により連通される(例えば流体供与管孔を介して)。前記複数のオリフィスは、記述された如く、装置の長手に沿って先端方向もしくは側方に、一体的もしくは別個に移動し得る。針もしくは無針式流体供与オリフィスの各々は装置の基端における機構に連結されて前記オリフィスの移動もしくは突出が可能になり、複数のオリフィスは一緒にまたは独立に移動可能もしくは突出可能である。各オリフィスは、また、流体供給源(例えば装置の基端もしくは先端における)と、基端における起動機構に流体により連通して、前記オリフィスからの流体の放出を可能にし、流体を各オリフィスから別個にまたは共働して放出する。
【００８６】
流体供与オリフィスは、所望の射出速度、流体量、流体分散(例えば注入粒子の集団の寸法および形状等)の如き注入の所望特性を生成するために有用な任意の寸法(例えば長さおよび直径)を有し得る。有用なオリフィス直径例は、流体が組織へ浸入するように注入されるのか組織表面に接触するように滴注されるか等の要因、および注入される場合に、注入パラメータおよび注入される組織の種類および寸法(例えば深度)に依存して、約0.001〜0.05インチの範囲内とされ得る。流体供与オリフィスは、所望により流体供与オリフィスの近傍の流体供与管孔よりも大寸もしくは小寸とされ、前記流体供与オリフィスにおける流体の射出速度に影響してよい。有用なオリフィス形状の例として、ベンチュリ、オリフィスの長手に沿って連続的に均一な直径、漏斗形等の特徴が挙げられる。多くの場合に、相対的に小寸の直径のオリフィスは、大径オリフィスと比較して(同一の注入圧力を以て)組織内へ相対的に深く浸入する注入深度を生成し得る。一般的に、注入オリフィスの寸法および形状は、特定の薬剤供与作業(注入、滴注等)および組織特性に対して選択され得る。
【００８７】
流体供与オリフィスからの放出のために流体を加圧する圧力源は、理解される如く機械的(スプリングまたはソレノイドの如き)、空気圧式、二酸化炭素の如き加圧気体、油圧式、電気的とされ、シャフトの基端、先端、または、シャフトに沿って配置され得る。前記圧力源は、機械的もしくは電子的に制御され得る。前記圧力源は流体リザーバ(例えば固定容積もしくは可変容積のチャンバ)に収容された流体を、流体供与オリフィスにおける過渡的圧力であって、組織を被覆するか組織内へ浸入するに十分な力を以て流体供与オリフィスから所望量の流体の流れを生成するに十分に高い過渡的圧力へ加圧し得る。
【００８８】
本明細書中に記載された他の特徴と組み合わせて選択的に使用される本発明の流体供与装置の付加的な選択的特徴として、例えば“位置決め特徴”として装置のシャフトの先端に配置された膨張可能バルーンが挙げられる。流体供与装置は先端における一つまたは複数のバルーンを含み、使用時に装置が所望位置に載置かつ固定されることを可能にし得る。流体供与装置を位置決めするバルーンは、装置の流体供与オリフィスの如き先端特徴の操作を直接観察する内視鏡の如き一切の光学的特徴を含まない装置と組み合わされることが特に有用である。流体供与オリフィスから既知距離で、装置の先端にバルーンを設置することは、バルーンの位置決めに基づき、膀胱頚部等への流体供与オリフィスの適正載置を促進する。
【００８９】
所望により医師が流体供与装置を位置決めするのを可能にするバルーンの例は、装置が設置されたときに膀胱内または膀胱頚部に載置され得るバルーンである。前記バルーンは、フォーリー・カテーテルにおいて使用されるタイプであってよいが、流体供与装置の剛性もしくは可撓性シャフトの端部で本明細書中に記述された如く機能するように構成され得る。前記バルーンは、使用時に装置の全体的箇所を固定し、即ち装置のシャフトを所望箇所に載置して、一つ以上の流体供与オリフィスを例えば膀胱もしくは膀胱頚部内に所望に応じて位置決めする上で有用である。前記バルーンは前記シャフト上で、流体供与オリフィスの先端方向もしくは基端方向に位置決めされ得る。装置が設置されたとき、前記バルーンは、膀胱もしくは膀胱頚部内にあり、治療時に装置を適切に位置決めし、且つ膀胱から膀胱頚部または膀胱頚部をシールする。
【００９０】
本明細書中に記述された他の特徴と選択的に組み合わせて使用される流体供与装置の別の特徴は、装置の先端に配置される組織引張器である。組織引張器は、例えば尿道もしくは膀胱内で、流体供与オリフィスの幾分近傍で、且つ装置が設置されたときに流体供与オリフィスの近傍で、シャフトに配置され得る。組織引張器は、例えば尿道もしくは膀胱組織等の組織に接触し得る機構であって、流体供与オリフィスに対して所定位置に組織の所望部分を保持し、且つ注入時に流体が組織へ浸入して組織内に分散される方法に影響し得るように組織上に緊張もしくは応力を選択的に与える機構であり得る。組織引張器は装置の剛性シャフト形態等の本明細書中に記述された他の特徴の内の任意の特徴と組み合わせて使用され得る一方、組織引張器は、可撓性シャフトを含む装置と共に使用されたときに特に有用である。前記組織引張器は、組織が固定されかつ注入を受けるために所望量の緊張を確実に有することにより、下部尿路の組織を介した流体の注入時の良好な結果を促進し得る。
【００９１】
組織引張器のタイプの例として、流体供与オリフィスの近傍でシャフトに配置された膨張可能バルーン、および、パドル、突出部、レバー、金属ケージの如き機械的に伸張可能もしくは収縮可能な構成要素が挙げられ、それらの任意のものが流体供与装置のシャフトから伸張して、例えば膀胱もしくは膀胱頚部内の尿道組織上等の内部組織上に圧力を付与し得る。組織引張器は、2005年7月21日に出願されて“無針式供与システム”と称された本譲受人の同時係属の米国特許出願第11/186,218号に説明されており、その全開示内容は参考として本明細書中に援用される。
【００９２】
本明細書中において特定された装置の内の任意の装置と共に使用され得る選択的特徴の別の例は、クランク等により2006年11月9日に出願され“注入装置のための機械的容量制御法”と称された本譲受人の米国仮出願第60/856,035号に説明され、その全内容は参考として本明細書中に援用される。調節可能な容量制御特徴によれば、前記特徴が本明細書中に記載された装置に含まれたときに流体供与の調節可能な制御が可能になる。前記調節可能な容量制御法は概ねプランジャ部材および停止部材を備えた機械的停止システムを含み、その場合に前記プランジャ部材および停止部材は物理的に相互作用し、プランジャの挿入長を制限し、前記プランジャにより排出される治療流体の量を同時に制御する。ある実施形態において前記停止部材はプランジャ運動と同軸的に起動されるように構成される一方、他の実施形態において前記停止部材はプランジャ運動に対して交差する方向に起動され得る。機械的停止システムに対する例示設計は、図１４および図１５に示される。
【００９３】
装置は、位置決め機構、または、ユーザが先端を下部尿路内の所望箇所に載置するのを可能にする位置決め機構を含み得る。その例は、前記構造が膀胱内に配置されたときに前記構造が膀胱頚部に接触するのを可能にするために伸張もしくは膨張する、装置の先端に配置されたバルーン、パドル、または、他の延長部もしくは伸張可能な特徴であり得る。使用に際して位置決め機構は、尿道、膀胱および膀胱頚部内へ装置の先端を挿入する間にシャフト内にまたはシャフトに当接して収縮する。先端が挿入されて位置決め機構を膀胱もしくは膀胱頚部内に一旦配置したなら、前記位置決め機構はシャフトから離間して拡張すると共に、装置(シャフトおよび位置決め機構を含む)は操作者により基端方向に移動し(例えば引張られ)得る。前記位置決め機構を基端方向に引張ると、前記位置決め機構は膀胱頚部に接触し、操作者は、膀胱頚部におけるこの抵抗を感知すると共に、前記位置決め機構が膀胱頚部と接触して所望箇所に在ることを認識する。
【００９４】
本発明の装置は、先端に複数の流体供与オリフィスを選択的に含み、その幾つかもしくは全ては突出可能または不能とされ得る。各流体供与オリフィスは、流体の移動もしくは放出のために独立に起動され得る。複数の流体供与オリフィスの実施形態は、相互に連通すると共に、共通の流体供給源に連通する。他の実施形態において二つ以上の流体供与オリフィスが別個の流体供給源と各々連通して装置の先端における複数種類の異なる流体の供与が可能になり、即ち単一の装置が複数の流体供与システムを含み得る(例えば、単一の流体供与システムは、一つの流体供与リザーバと連通する一つの流体供与オリフィスを含み得る)。複数の流体供与システムは、単一装置の先端から二種類以上の異なる流体の供与を可能にする。各流体は、異なるか同一とされ得ると共に、供与量、供与圧力、注入のための供与、滴注のための供与、異なる組織に対する供与等の同一もしくは異なるパラメータを用いて供与され得る。一例として装置は、尿路の組織に対して二種類の異なる薬剤を供与し、選択的に一方の薬剤は組織の表面に対して付与され且つ他方は組織内部に付与(即ち注入)され得る。選択的に、二種類の異なる流体が、例えば、尿管の円周の回りの組織の二つの異なる箇所、または、尿道の長さに沿って異なる場所に供与され得る。二種以上の流体が、同一圧力、異なる圧力、同一の供与量、異なる供与量等で供与され得る。
【００９５】
複数種類の異なる流体の供与は、例えば、供与のために流体の供給物を独立に収容し得る複数の流体リザーバであって、各々が異なる流体供与オリフィスを介して異なる流体を供与し得る複数の流体リザーバ等の二つ以上の流体リザーバを含む装置を含んでよい。一つ以上のリザーバは、装置の先端、装置の基端、遠隔コンソール、または先端、基端または遠隔コンソールの任意の組合せの場所に配置され得る。
【００９６】
本明細書中で用いられる如く、先端流体リザーバとは、装置のシャフトの先端で所定容積を有し、典型的な流体供与管孔に必要な量より大量の流体を収容できる。先端流体リザーバの容積の例は、流体注入の量に匹敵する規模の容積であり得る。先端流体リザーバは典型的には必要でないが、流体の移動を向上させるために好適である。例えば先端流体リザーバは、供与オリフィスの基端方向で装置の先端に所定量の流体を収容し、注入もしくは放出時に装置の長手に沿った流体移動の必要性を低減する。流体の移動量の低減は、更に効率的な流体供与に帰着し得る。
【図面の簡単な説明】
【００９７】
【図１】突出可能な流体供与オリフィスを含む本発明の装置の概略図である。
【図１Ａ】本発明の装置の可動構成要素の概略図である。
【図２】突出可能な流体供与オリフィスを含む本発明の装置の概略図である。
【図３】突出可能な流体供与オリフィスを含む本発明の装置の概略図である。
【図４】独立に機能する複数の流体供与オリフィスを含む本発明の装置の概略図である。
【図５】独立に機能する複数の流体供与オリフィスを含む本発明の装置の概略図である。
【図６Ａ】複数の流体供与オリフィスを含む本発明の装置の概略図である。
【図６Ｂ】複数の流体供与オリフィスを含む本発明の装置の概略図である。
【図７Ａ】複数の流体供与オリフィスを含む本発明の装置の概略図である。
【図７Ｂ】複数の流体供与オリフィスを含む本発明の装置の概略図である。
【図８Ａ】複数群の突出可能な流体供与オリフィスを含む本発明の装置の概略図である。
【図８Ｂ】複数群の突出可能な流体供与オリフィスを含む本発明の装置の概略図である。
【図９Ａ】複数の突出可能な流体供与オリフィスまたは複数群の流体供与オリフィスを含む本発明の装置の概略図である。
【図９Ｂ】複数の突出可能な流体供与オリフィスまたは複数群の流体供与オリフィスを含む本発明の装置の概略図である。
【図９Ｃ】複数の突出可能な流体供与オリフィスまたは複数群の流体供与オリフィスを含む本発明の装置の概略図である。
【図１０Ａ】複数の突出可能な流体供与オリフィスを含む本発明の装置の概略図である。
【図１０Ｂ】複数の突出可能な流体供与オリフィスを含む本発明の装置の概略図である。
【図１１】複数の突出可能な流体供与オリフィスを含む本発明の装置の概略図である。
【図１２】操縦可能な先端部分を含む本発明の装置の概略図である。
【図１３】操縦可能な先端部分および遠隔コンソールを含む本発明の装置の概略図である。
【図１４】供与体積制御器の実施形態の破断側面図である。
【図１５】図１４の１５−１５線に沿う図１４の供与量制御器の端面図である。
【発明を実施するための形態】
【００９８】
図１は、本発明に係る装置、即ち、膀胱もしくは膀胱頚部へ流体をブラインド供与し得る流体供与装置の実施形態を示している。装置10は概略的に、先端12と、本体22に圧力源(注入器もしくは注射器)24が取付けられた基端20と、シャフト14とを含む。シャフト14は移動可能な流体供与管孔16を含み、前記管孔は、基端20における注入器24の流体リザーバ18を針30および流体供与オリフィス32に連結する。針30および移動可能流体リザーバ40は、装置10が設置されたとき、膀胱組織44により表される膀胱内に配置される。この好適実施形態において例示される如く、単一の流体供与管孔(16)は単一の基端流体リザーバ(18)を単一の先端流体リザーバ(40)と複数の流体供与オリフィス(32)に連結することにより、単一種類の流体(45)が先端12で複数の流体オリフィスから供与され得る。
【００９９】
排出オリフィス42は、使用時に膀胱からの尿の排出を可能にすると共に、シャフト14内の(不図示の)排出管孔を介して基端20に連結される。例えば排出管孔はシャフト16の内部に位置決めされ、選択的に先端流体リザーバ40のチャネル41を貫通する。
【０１００】
装置10は、伸張可能針30の端部に位置する複数の供与オリフィス32を含む先端12を含む。伸張可能針30は、シャフト14の長手方向へ移動可能な流体供与管孔16、移動可能流体リザーバ40および針30の組立体としての一体的な移動により、(例えばシャフト14内の開孔を通し、且つ図１の先端12における矢印の方向に移動して)シャフト14から伸縮され得る(長手方向の移動は図１の本体22上の矢印および図１Ａの矢印により示される)。針30、リザーバ40および管孔16の組立体の移動は、本体22内に組み込まれた機構の移動により達成され得る。図１に示された如く、その機構は、注入器24を流体供与管孔16に連結する単純な摺動チャンバ48であって、摺動可能な取手50の移動により本体22の開放チャネル49(破線で図示)内でシャフト14に対して移動する摺動チャンバ48を含む。摺動可能チャンバ48は注入器24と共に、本体22およびシャフト14に対して移動され得る。
【０１０１】
伸張可能針30は収縮位置に置かれ、道口を介して経尿道的に先端12を患者の体内へ挿入して、針30を例えば膀胱頚部の近傍等の膀胱内に配置し得る。前記先端における(不図示の)選択的バルーンは、膀胱の内部で膨張され得る。一旦設置されると、針30は前記シャフトから伸張し、側方且つ(装置10の基端に向けて)基端方向に伸張して膀胱頚部もしくは膀胱の組織44に接触し得る。伸張可能針30の各々は流体管孔16を介して基端もしくは先端もしくはその両方における一つ以上の流体リザーバ(例えばリザーバ18または40)に連結され得ると共に、注入流体は加圧され、膀胱もしくは膀胱頚部における供与のために流体管孔16を通り伸張可能針30へ移動して膀胱頚部の組織に注入もしくは接触する。図１は、組織44へ浸入するように注入された注入流体45を示す。前記加圧機構は基端20における機械的注入器24として示されるが、選択的に、任意の形式の加圧機構とされ得る。
【０１０２】
図１の装置10の他の特徴は、先端12における(不図示の)バルーンと連通する基端12における選択的バルーン・ポート52を含む。バルーン・ポート52は、選択的バルーンが膀胱内に設置されたときに前記バルーンを加圧して膨張させる流体を提供するために使用され得る。基端20に選択的な排出用吐出口54が示され、これは(不図示の)排出管孔を介して先端12における排出オリフィス42に連結される。前記基端における摺動可能な取手もしくは“トリガ”50は、移動可能管孔16を介して伸張可能針30と機械的に係合され、トリガ50は、針30を移動させ且つ針30をシャフト14から伸張または収縮するように移動され得る。図示実施形態において、トリガ50は注入器24から独立して起動され得ることから、トリガ50は針30を伸張または収縮するために使用され得ると共に、注入器24は針30から流体を放出するために別個に起動され得る。
【０１０３】
分岐された図１Ａは前記装置の内部機構を示し、前記機構は、先端中空流体リザーバ40と連通する複数の針30を含む組立体である。前記組立体は前記装置内の単一の組立体として移動可能であり、(管孔16における矢印の方向において)基端方向に移動したとき、針30はシャフト14から基端方向および側方に伸張する。先端リザーバ40は基端側で流体供与管孔(16)に連結され、装置12のシャフト14の長手を介して装置12の基端20で移動可能注入器24まで延在する。先端リザーバ40は、また、リザーバ40の基端側に配置されて装置10の基端20に向かって延在する複数の中空針30に連結される。図１に示された如く、トリガ50は、リザーバ40および針30(および移動可能管孔16)の組立体を基端方向に移動させて針30を装置10の先端12でシャフト14から伸張させるために使用され得る。管孔16、基端リザーバ18、移動可能先端リザーバ40および移動可能針30内の流体は注入器24のプランジャ25の使用により加圧され、流体は直ちに針30のオリフィス32の各々から放出され得る。
【０１０４】
図２は、無針式供与装置を用いて膀胱頚部へ流体をブラインド供与する流体供与装置を示している。装置100は、概略的に、先端102と、本体106および本体106に取付けられた圧力源(注入器)108を含む基端104と、シャフト110とを含む。シャフト110はその内部に流体供与管孔116を含み、前記管孔は基端104の注入器108の流体リザーバ118を、先端102のパドル130および流体供与オリフィス132に連結する。パドル130の各々の第一取付け端140は、ヒンジ連結部でシャフト110に連結される。パドル130の各々の可動端142は、一つの流体供与オリフィス132を含む。各パドル130は取付け端140上で揺動しシャフト110から離間して(矢印により表された如く)側方に移動し、可動端142における各流体供与オリフィス132をシャフト110から離間して拡開させる。起動機構120に連結されたプランジャ105を含む本体106は、装置100の先端102で各パドル130の場所でパドル130をシャフト110から離間して拡開し且つ前記シャフトに向けて引き戻すために使用され得る。(不図示の)流体供与管孔は先端リザーバ144を各パドル130に連結し、基端リザーバ118を各オリフィス132に連結する経路を介して流体が流れるようにする。
【０１０５】
起動機構120は基端で本体106のプランジャ105に対し且つ先端でパドル130に対して取付けられ、プランジャ105が移動すると、パドル130の可動端142はシャフト110から離間して拡開され且つ前記シャフトに向けて引き戻される(矢印の方向)。パドル130はリザーバ144を介し、シャフト110を貫通する流体供与管孔116を通り流体リザーバ118と流体により連通する。
【０１０６】
この好適実施形態に示された如く、単一の流体供与管孔(116)は単一の基端流体リザーバ(118)を単一の先端流体リザーバ(140)および複数の流体供与オリフィス(132)に連結し、単一種類の流体が先端102で複数の注入オリフィス132から供与されることを可能にする。
【０１０７】
装置100の使用時にパドル130および先端流体リザーバ144は、膀胱組織146により表現される膀胱内に設置される。シャフト110は、道口152から進入することにより尿道150内に設置される。排出オリフィス146は、使用時に膀胱からの尿の排出を可能にし、かつシャフト110内の(不図示の)排出管孔を介して基端104に連結される。各パドル130は、操作者による基端方向における装置の運動後に膀胱内で拡開されると共に、膀胱または膀胱頚部の組織に接触することにより、位置決め機構として機能し得る。
【０１０８】
更に、図２を参照すると、先端102は、パドル130の各々の可動端142に複数の無針式流体供与オリフィス132を含む。各パドル130は、各パドル130の先端取付端部140で蝶番留めされた前記シャフトから離間して側方に拡開し、そのようにして各パドル130は基端方向に流体を供与するように配向された供与オリフィスと共に拡がる。パドル130はシャフト110に対して後退し、例えば道口152を介して装置100は患者の体内に挿入され、パドル130は例えば膀胱頚部の近傍にて膀胱内に設置され得る。一旦設置されたなら、パドル130は例示された如くシャフト110から拡開して取付け(蝶番留めされた)端部140で回動することにより側方かつ基端方向に拡開し、そのようにしてパドル130の可動端142は膀胱もしくは膀胱頚部の組織146に接触する。各パドル130は分離して別個にもしくは一緒に、一つ以上の流体供与管孔116を介して装置100の基端104に連結され得る。注入流体は、装置100の基端104におけるリザーバ(例えば118)で加圧され、流体供与管孔(116)を通り、選択的に先端102における先端流体リザーバ(例えば先端リザーバ144)を通り、パドル130の各々に至り、各パドルの端部で無針式流体供与オリフィス132を介して膀胱もしくは膀胱頚部において供与される。前記加圧機構は、前記装置の外部の電源により制御される注入器(108)のプランジャ109等、任意の形態であってよい。
【０１０９】
図２の装置の他の特徴としては、排出オリフィス146と連通する(不図示の)排出管孔を含む可撓性シャフト(シャフト110)が挙げられる。各パドル130を展開するアクチュエータ(本体106およびプランジャ105)は、基端104でシャフト110に連結され、先端102でパドル130に機械的に連結され、パドル130は拡開位置および引戻し位置の間で揺動すべく起動され得る。前記アクチュエータは注射器108から独立して起動され得るので、前記アクチュエータはパドル130を拡開しまたは引戻すために使用され、注入器108は流体供与オリフィス132から流体を放出するために別個に起動され得る。
【０１１０】
図３は、無針式供与装置を用いて膀胱もしくは膀胱頚部(180)へ流体をブラインド供与する流体供与装置(160)の別実施形態を示している。先端164は、複数のパドル166の可動端182に複数の無針式流体供与オリフィス168を含む。各パドル166は、例えば、パドル166、および選択的に流体注入液を収容する圧力容器(リザーバ)170と、プランジャ174と、電源172とを含む内部組立体の移動により、シャフト190から側方に離間して拡開され得る(矢印により示された如く)。流体供与管孔は、先端リザーバ170を各パドル166に連結する。好適性および用途に依存して装置160は、単一種類の流体を、一緒にもしくは独立に、オリフィス168の各々を介して供与すべく使用され得る。または装置160は、例えば各パドルの内の二つ以上からの異なる流体等の、複数種類の異なる流体を供与し得る。複数種類の流体の供与は、例えば、流体ごとに一つの先端リザーバを使用し、先端164に複数の先端リザーバを設置することによって達成され得る。各先端リザーバは、基端162における機構により独立に起動され得る。
【０１１１】
一実施形態において各パドル166は、シャフト190から側方に拡開される(一体的にもしくは独立に)と共に、シャフト190と取付端部184との間の蝶番連結部で回動することにより、基端方向を指し得る。各パドル166はシャフト190に当接して位置すべく引戻されて、患者の体内へ装置160の先端164が挿入され、例えば膀胱頚部の近傍で膀胱内にパドル166を配置し得る。各パドルは、位置決め機構として機能し得る。先端164が一旦設置されたならば、図示された如くパドル166はシャフト190から離間して側方に拡開し、そのようにしてパドル166の可動端182は膀胱組織180に接触する。各パドルは、基端162における起動機構176の運動により拡開され得る(一体的にまたは独立に)。各パドル166は、装置160の先端164で、先端圧力容器170に別個にまたは一体的に連結され得る。圧力容器170内の流体は、基端162におけるアクチュエータもしくは“トリガ”175により起動され得る動力源172(例えば加圧された二酸化炭素)を用いてプランジャ174の運動により加圧され得る。
【０１１２】
図３の装置の他の特徴としては、可撓性シャフト(190)と、各パドル166を展開するために有用な基端162における“トリガ”(起動機構176)とが挙げられる。注入液(流体)を放出するトリガ175は、装置160の基端162に示され、且つ動力源172に(破線により示された如く)機械的もしくは電子的に連結され流体リザーバ170内の流体を加圧し(プランジャ174の運動により)、流体は、各パドル166の可動端182において無針式流体供与オリフィス168から放出される。起動機構176、トリガ175および先端164の間の破線は、基端162から特徴的先端構造を起動するに必要な程度まで、装置160のこれらの要素間の機械的もしくは電子的な連結を表している。言及された如く、二以上の流体の供与を可能にするために、複数の流体供与管孔により連結された複数の先端および基端リザーバが使用され得る。流体は加圧されて組織へ注入されるか、または組織へ浸入することなく組織に接触するように放出され得る(即ち組織の表面に滴注(instilled))。図示された如く、流体192は組織180へ注入されて浸入する。
【０１１３】
図４を参照すると、流体供与装置の先端が示される。先端200は、シャフト202と、複数群の無針式供与オリフィス204および205と、(両方ともに選択的であり標準的な分枝管孔により置換できる)先端流体リザーバ208および209と、流体供与管孔212および213と、可動カバー(例えばスリーブ)206および207とを含む。カバー206および207はスリーブとして示され、一つのスリーブが、供与オリフィス204および205の各群に対するものである。選択的にカバーは、単一オリフィスもしくは複数のオリフィスを一度に独立に開閉することを可能にし得る他の任意の形式の単一または複数のカバーであって、オリフィスを覆いもしくは露出し又は開閉するように移動し得る任意形態の可動壁部、扉、フラップまたは他のバリヤの如きカバーであってよい。例えば図示された４個のオリフィス204の各々は、独立に開閉され得る別体的なカバーを有し得る。同様に、図示された４個のオリフィス205の各々は、独立に開閉され得る別体的なカバーを有し得る。
【０１１４】
流体供与オリフィス204は、選択的リザーバ208を介して相互に連通すると共に、流体供与管孔212と連通し、流体供与オリフィス205は、選択的リザーバ209を介して相互に連通すると共に、流体供与管孔213と連通する。各群のオリフィスは可動カバー(206、207)と組み合わされ、各カバーは独立に移動可能であり且つ前記装置の基端から制御可能であり(例えば機械的もしくは電子的に)、オリフィス204および205を夫々覆い且つ露出するためにカバー206および207を分離制御可能である。前記例示装置は、二つの分離した流体供与管孔(212、213)、二セットの流体供与オリフィス(204、205)、二セットの選択的リザーバ(208、209)、および一種類の流体は各流体供与管孔と一群のオリフィスを通る二種類の異なる流体の独立的供与を共働して可能にする二つの独立作動するスリーブ(206、207)を示している。所望であれば、更に別の(例えば第三、第四、第五、またはそれ以上の)流体供与管孔、オリフィス、選択的リザーバおよびスリーブ(例えばカバー)を付加することにより、先端200から二種類より多い異なる流体が供与され得る。
【０１１５】
図４は二セットの無針式供与オリフィス204、205を含む供与装置先端を示し、各群のオリフィスは、“直列(in series)”である(相互に連通する)と共に、可撓装置・シャフト202の長手に沿って異なる位置に在る。各無針式供与オリフィス204(205)は可動カバー(例えばスリーブ)206(207)の近傍もしくは背後に配置され、前記カバーは、シャフト202の長手に沿って移動し、単一のオリフィス204もしくは205自体を、または一個以上の付加的なオリフィス(204もしくは205)と組み合わせて、各オリフィス204を露出しまたは覆い(開閉し)得る。各群のオリフィス204および205に対しては一個のみのカバーが示されるが、各オリフィスの独立的な開閉を可能にする選択的法として、所望に応じて、各群のオリフィスに二個以上のカバーが組み合わされ得る。
【０１１６】
各供与オリフィスは、他のオリフィスに連結可能であり(例えば各オリフィス204は相互に流体により連通し、且つ各オリフィス205は相互に流体により連通するがオリフィス204とは流体により連通せず)、且つ共通の流体供給源(例えば、装置の基端における不図示の基端流体リザーバ)に対して連結され得る。前記流体供給源は加圧され、鞘により覆われずに連結された各供与オリフィスから流体を供与し得ると共に、流体は、一つの流体供給源に連結された複数の供与オリフィスの任意の一つから独立に、または、共通の流体供給源に連結された複数のオリフィスの内の二つ以上から同時に供与され得る。
【０１１７】
更に、図４を参照すると、カバー(スリーブ)206および207は、シャフト202の外部として示される。カバー206は、一つ以上の流体供与オリフィス204を覆い得る。スリーブ206から独立して、スリーブ207は一つ以上の流体供与オリフィス205を覆い得る。理解される如く各カバー206および207は、所望に応じて一つ以上の供与オリフィス204または205が覆われまたは露出されて、露出された(開放された)任意の供与オリフィス204または205から流体が供与されることを可能にするように、独立に機械的に起動されシャフト202に対して移動する。図４の先端200はまた、先端200が患者の体内に設置されたときに膀胱からの排出を可能にする中央排出管孔210および排出開孔211を含んで示される。
【０１１８】
選択的に先端200は、取付けおよび流体供与間に端部200が操縦(例えば関節運動)されるのを可能にする操縦可能シャフトの如き特徴を含み得る。同様に選択的に先端200は、使用時に供与場所と、先端220、オリフィス204および205の精確な載置場所と、オリフィス204および205を介して供与される流体との観察を可能にする前記装置の基端に通ずる光学的特徴も含み得る。
【０１１９】
図５は、流体供与装置の先端(220)の一部の別実施形態を示している。前記装置は、剛性であるか好適には可撓性シャフト(222)を含み、膀胱、膀胱頚部、尿道、腎臓、尿管等又はそれらの内部等の下尿路または近傍組織の所定場所に流体を放出するように寸法設定および設計され得る。前記装置のシャフト222の外部に複数のスリーブ226が示され、これらのスリーブ226は、シャフト222の長手に沿って一方向へ相互に独立に移動し、一つ以上の供与オリフィス224を覆い得る。各スリーブ226は、一つ以上の供与オリフィス224が覆われ(閉鎖され)または露出され(開放され)、開放された任意の供与オリフィス224から流体が供与されるように、シャフト222の長手に沿って機械的に起動され得る。排出管孔228および排出開孔230が図示される。排出開孔230に連結された排出管孔228は、先端220の側部に沿って位置決めされ、基端まで延在し、患者の体内への前記装置の設置時に膀胱から尿の排出を可能にする。先端220内の一定の箇所、例えば各オリフィス224に隣接して、圧力源、リザーバまたは両方を含む複数の流体供与手段232が配置され得る。各流体供与手段232は前記装置の先端に配置された圧力源を含むか、または圧力源は基端に配置され得る(不図示)。(不図示の)流体供与管孔は、各流体供与手段232を前記装置の基端に連結する。各供与手段232の加圧は、前記装置の基端に配置された起動機構であって、圧力源(装置の基端もしくは先端で)に機械的もしくは電子的と連結して先端で供与する流体を加圧する起動機構により個別的に制御され得る。各流体供与手段232に対する破線は、流体の供与のために流体供与手段232の起動を可能にするために基端に対する電子的または機械的な連結を表している。
【０１２０】
本明細書中で用いられる“流体供与手段”という表現は、単独または分離の一つ以上の構造および機構であって、流体供与オリフィスから流体を放出するために使用され、圧力源、流体リザーバ、管孔および起動機構の如き部材を分離してまたは組み合わせて含む構造および機構を指す。
【０１２１】
選択的に先端220は操縦可能シャフトの如き特徴を含み、設置および流体供与の間に端部220が操縦(例えば関節運動)されるのを可能にする。同様に選択的に先端220は、使用時に供与場所、および、先端220、オリフィス224の精確な載置場所、および、前記オリフィス224を介して供与される流体の観察を可能にする前記装置の基端に通ずる光学的特徴も含み得る。
【０１２２】
図６Ａおよび図６Ｂは、本明細書中に記述された装置の実施形態であって、複数の伸張可能な流体供与オリフィス、即ち、オリフィス延長部の端部に配置された流体供与オリフィスを含む実施形態を示している。図６Ａを参照すると、先端230は、シャフト232、オリフィス延長部236の長手もしくは端部における供与オリフィス234を含む。供与オリフィス延長部236は、可撓外部と、流体リザーバ、圧力源または両方を含み得る流体供与手段242に連結された伸張可能管孔235とを含む。各流体供与手段242は機械的もしくは電子的な連結により基端に独立に連結されて、手段242は独立に移動かつ起動され得る(連結は破線で示される)。(不図示の)流体供与管孔が、各流体供与手段242を装置の基端に連結する。各流体供与手段242は複数種類の異なる流体が先端230から供与され得るように単一種類の流体供給源を制御し得るか、または選択的に、同一の流体を収容する異なる流体供給源に連結された異なる手段242を用いて同一流体が供与され得る。
【０１２３】
伸張可能な排出管孔248は、排出開孔250、およびシャフト232の基端に位置する装置の(不図示の)基端に連結される。前記排出管孔は、最先端252を越えて長手方向、側方、または両方に伸張し、位置決め機構ならびに排出管孔として作用し得る。
【０１２４】
複数の伸張可能な流体供与オリフィス延長部236は図６Ａにて収縮位置で示され、その場合に各供与オリフィス延長部236は収縮して先端230でシャフト232内に位置する。流体供与オリフィス234は、各伸張可能管孔235の端部に、および図示された如く幾つかの伸張可能管孔235の側部に配置される。各延長部236は、可撓性、剛性または半剛性の延長部または“フィンガ”であり得る外部であって、シャフト232の基端から離間して先端方向且つ流体供与装置の全体的に亙り伸張すると共に、先端または最先端部252から離れて遠方且つ選択的に側方に伸張することを含む。延長部236は、シリコーン、ポリウレタン、ゴムまたはラテックス等の弾性ポリマー材料で形成されるか、更に剛性材料で形成されてよい。各延長部236は、各延長部236が前記装置の先端の最先端部252を越えて伸張し最先端252から突出するように起動されるように付勢されることにより、各延長部236は、各延長部236の先端間に所定距離が提供されるように伸張するときに拡散または側方に離間して扇状に拡開する。各延長部236は、先端方向および側方に、即ち、最先端252から離れる方向にシャフト232の仮想長軸(254)に沿って軸254から側方へ離れる方向における成分と共に遠方へ移動する。各オリフィス延長部236の扇状拡開もしくは外方拡開は、各延長部236に配置された供与オリフィス234間の予測可能な距離を提供する。
【０１２５】
図６Ａの装置は、例えば、複数の流体供与オリフィスを尿道内、膀胱頚部内または膀胱内等に配置して、同一もしくは異なる種類の流体を、これらの組織の一つ以上の複数場所に供与するのに有用である。図６Ｂは伸張したフィンガ(即ち伸張したオリフィス延長部)236を備える斯かる装置の先端230を示し、各フィンガ236は、フィンガ236の全長の一部に沿って伸張する伸張可能管孔235であってフィンガ236の端部にまたはフィンガ236に沿って長手における一つ以上の流体供与オリフィス234からの流体の放出を可能にする伸張可能管孔235を含む。排出管孔248は、同様に、伸張する。各フィンガ236および伸張可能管孔235に対する個々の流体供与手段242は、流体を収容する流体リザーバおよび選択的な圧力源を含み、機械的もしくは電子的連結(破線として示された)により基端から独立に起動もしくは加圧され得る。各手段242の一つ以上の流体リザーバは、加圧時に、伸張した各フィンガ236の一つ以上のオリフィスから流体が放出されるように加圧される。圧力は、装置の先端もしくは基端に設けた圧縮二酸化炭素の使用により、または装置の基端における機械的スプリング、ソレノイドもしくはポンプ、または、別の形式の圧力源により、所望に応じて供給され得る。各流体供与手段242は装置(不図示の)の基端から独立的もしくは一体的に制御されて、単一種類の流体を独立に供与し得る。
【０１２６】
選択的に先端230は操縦可能な先端もしくは最先端を含み、取付けおよび流体供与時に先端230の操縦が可能になる。同様に選択的に先端230は、装置の基端に通じると共に前記基端に視覚的に連結された光学的特徴であって、使用時に供与場所、先端230、オリフィス234の精確な載置場所、および、オリフィス234を介して供与される流体の観察を可能にする光学的特徴を含み得る。
【０１２７】
図７Ａおよび図７Ｂは本発明に係る装置の先端の別実施形態を示している。図７Ａは、複数の管孔から単一種類の流体を供与すべく直列に連結された供与オリフィスを示す。即ち、装置の先端の長手に沿って、バルーンの基端側に配置された複数の隣接する流体供与オリフィスの“デイジー・チェーン(daisy chain)”構成を示している。図７Ｂは、異なる種類の流体を供与すべく各々が独立に制御され得る“並列”流体供与オリフィスを代わりに含む同様の実施形態を示している(起動機構および流体供与管孔は全て不図示である)。
【０１２８】
図７Ａは流体供与装置の先端260を示し、前記先端は、流体供与オリフィス262と、所望に応じて一つ以上のオリフィス262(例えば無針式流体供与オリフィス)を覆い得るカバー264と、シャフト268と、膨張可能バルーン274と、先端260の最先端部270における排出開孔272とを含む。各流体供与オリフィス262は、シャフト268の長手に沿って漸進的に先端に向かう場所に配置されると共に、(示された如く)シャフトの周縁部の回りで隣接する位置、またはシャフトの周縁部の回りの異なる位置に設けられる。バルーン274は、使用時に先端260を適切に位置決めすることを助けるために膀胱内に載置され得る。前記装置の最先端270における排出開孔272は、シャフト268を貫通して装置の(不図示の)基端に至る(不図示の)排出管孔に連結される。各流体供与オリフィス262を別個にまたは任意所望の組み合わせで露出し、設置された装置の長手に沿ってまたは前記装置の周縁部の回りの所望の組み合わせによる場所に注入もしくは滴注のために流体の供与を可能にするように、独立に制御可能な一つ以上のスリーブ264が使用され得る。
【０１２９】
図７Ｂは、各供与オリフィス262が共通の流体供給源に直列で連結されないが、各オリフィス262は異なる流体供与手段263に連結され、異なる流体の供与が可能になることを除き、同様の装置を示している。３本の流体供与管孔(不図示の)が、３つの流体供与手段263の各々を、装置の基端に連結する。
【０１３０】
選択的に先端260は、操縦可能な先端の如き特徴を含み、取付けおよび流体供与時に端部260は操縦され得る。同様に選択的に先端260は、使用時に供与箇所、および、先端260、オリフィス262の精確な載置、および、オリフィス262を介して供与される流体の観察を可能にする装置の基端に至る光学的特徴を含み得る。
【０１３１】
図８Ａおよび図８Ｂは、本明細書中に記述された如き供与装置のシャフトの先端を越えて伸張かつ拡開する機械的オリフィス延長部(“フィンガ”)に配置された複数の供与オリフィスを含む装置の別実施形態を示している。各伸張可能フィンガ282は分離の流体手段286と連通する一つまたは複数の供与オリフィス280を含み、前記流体手段の各々は、膀胱、尿道、膀胱頚部等の組織に複数種類の異なる流体の注入もしくは滴注のために前記手段の夫々のオリフィスから異なる流体を放出するために独立に加圧され得る。伸張可能な位置決め機構284は、装置の基端における機構により伸張および収縮し得る伸縮可能な構造であり、且つ排出管孔を含んでも含まなくてもよい。図８Ａは、装置が尿道290および膀胱292内に設置されたときに伸張して外方に拡開した各フィンガ282、および、伸張した位置決め機構284を示している。図８Ｂは、尿道290を通る設置のために収縮されたフィンガを示している。
【０１３２】
図９Ａ、図９Ｂおよび図９Ｃは、装置の先端の最先端部から、遠方の成分を含む方向において伸張可能または拡開可能である複数の流体供与オリフィスを含む装置の別実施形態を示している。この例は、薄膜の如き伸張可能な“ノズル”、“漏斗”または“扇”形態のオリフィス延長部358を含み、装置の拡開可能部は複数の流体供与オリフィス356を収容し、各オリフィスは管孔360を介し、単一の管孔360のオリフィスから流体を放出するように加圧され得る流体リザーバまたは流体供与手段362に連結される。延長部358は、シリコーン、ポリウレタン、ゴムまたはラテックス等の弾性的ポリマー材料で形成されるか、または更に剛性な材料であってよい。伸張可能管孔360は延長部358により収容されると共に、各々が複数のオリフィス356を含む。図９Ａおよび図９Ｂに示された如く、異なるオリフィス356が分離の流体供給源に連結されて、装置は複数の異なる流体または異なる種類の流体を供与し得る。選択的に全てのオリフィス356は、単一の流体供給源から供与するために、単一の流体供給源に連結され得る。
【０１３３】
図９Ａを参照すると、流体供与装置の先端350はシャフト359の開放もしくは中空最先端352を含み、前記最先端は移動可能オリフィス延長部358を更に収容する。図９Ａにおいてオリフィス延長部358は、シャフト359により収容された収縮状態で示される。図９Ｂにおいてオリフィス延長部358は、最先端352から遠方および側方に伸張する拡開状態で示される。図９Ｂに示された如くオリフィス延長部358は、最先端352から伸張されたときに３次元で扇状に拡開する薄膜の形態である。薄膜は、先端リザーバ(362、図示された如く流体供与装置の先端に配置される)または基端リザーバ(流体供与装置の基端に配置される)のいずれかである流体リザーバに連結され得る流体供与オリフィス356を含む。流体供与管孔(不図示)は、各リザーバもしくは手段362を基端に連結する。破線は、各リザーバもしくは手段362を分離して独立に起動する機械的もしくは電子的な機構を表し、各リザーバ362は装置の基端と連通して、リザーバもしくは手段362の独立的な移動または起動、および、独立的な流体供与を可能にする。流体供与管孔360は、各手段もしくはリザーバ362から各流体供与オリフィス356まで延在する。オリフィス延長部358は、また、基端に連結されて、基端における所定場所からの延長部358の起動もしくは移動を可能にする。
【０１３４】
図９Ｃは、単一の流体供与オリフィス356毎に一つの流体供与手段362を含む他の実施形態を示している。
【０１３５】
選択的に、図９Ａ、図９Ｂおよび図９Ｃに示された装置について、流体リザーバは装置の先端または基端にあってよく、加圧機構(例えば二酸化炭素、プランジャ等)は、同様に、装置の基端または先端に設けられてよい。流体供与オリフィス356を収容するオリフィス延長部(扇)358は、供与装置のシャフト354の先端の最先端部352を越えて伸張して拡開すると共に、装置の基端でオリフィス延長部起動機構により起動して拡開する。オリフィス延長部(扇)358は、扇358の長手もしくは周囲に沿って種々の位置に一つまたは複数の供与オリフィス356を含み得る。なぜならば、扇358は伸張もしくは拡開位置に在るからである。図９Ｂおよび図９Ｃは扇358の拡開状態を示し、流体供与オリフィス356の扇もしくは“漏斗”形状および例示形態、各オリフィス356と流体供与手段もしくはリザーバ(例えば362)との間の管孔360、および、圧力機構(不図示)を示している。扇358の各オリフィス356は、膀胱、尿道、腎臓、尿管、膀胱頚部等の組織へ注入もしくは滴注のために各オリフィス356から流体を放出するように加圧され得る流体リザーバ(例えば362、装置の基端または先端)と連通している。
【０１３６】
選択的に先端350は操縦可能な先端の如き特徴を含み、端部350は取付けおよび流体の供与時に操縦され得る。同様に選択的に先端350は、使用時に供与箇所、および、先端350、オリフィス356の精確な載置、および、オリフィス356を介して供与される流体の観察を可能にするために装置の基端に通じる光学的特徴を含み得る。
【０１３７】
図１０Ａおよび図１０Ｂは、装置の先端から伸張突出または拡開可能な複数の供与オリフィスを含む装置の更に別の実施形態を示している。図１０Ａを参照すると、流体供与装置の先端370は、シャフト382の開放もしくは中空最先端372、および、オリフィス延長部378を含む。シャフト382の最先端372におけるバルーンであるオリフィス延長部378は図１０Ａにおいて、最先端372から遠方および側方に伸張もしくは突出する拡開状態で示される。延長部378は、シリコーン、ポリウレタン、ゴムまたはラテックス等の弾性的ポリマー材料で形成され得るか、または、更に剛性な材料で形成され得る。図１０Ａは、二つの供与オリフィス380を備えた装置の側面図である。各オリフィス380は、異なる流体供与管孔374に対して連結されて、異なる流体を供与し得る。選択的に各オリフィスは、同一の流体供給源に連結され得るか、または、付加的オリフィスが存在し得る。
【０１３８】
図１０Ｂは、図１０Ａの構成と類似するが八個のオリフィス380を含む構成の端面図である。各オリフィス380は異なる流体供与管孔374に連結されて異なる流体を供与し得るか、または、二つ以上のオリフィスが同一の流体供給源に連結され得る。延長部378は、膨張されたときに３次元に膨張するバルーンの形態である。バルーン378は、流体供与装置の先端における先端リザーバ、または流体供与装置の基端に設置された基端リザーバのいずれかである流体リザーバに対して連結され得る流体供与オリフィス380を含む。前記リザーバから各流体供与オリフィス380へ流体供与管孔が延在し得る。
【０１３９】
図１０Ａおよび図１０Ｂの例示装置は膨張可能なバルーン構成を含み、前記膨張可能バルーンは複数の流体供与オリフィスを収容し、各オリフィスは、単一のオリフィスから流体を放出すべく加圧され得る(不図示の)流体リザーバに対して連結される。前記流体リザーバは装置の先端または基端に位置決めされ、(例えば二酸化炭素、プランジャ等の)加圧機構が装置の基端または先端に位置決めされ得る。流体供与オリフィス380を収容するバルーン378は、前記バルーンを基端に連結する膨張管孔を介して、装置の基端から供与され得る膨張用流体を用いて膨張時に拡張する。前記バルーンが拡張すると、各流体供与オリフィスは、供与装置のシャフトの先端を越えて移動して其処に設置される。前記バルーンは膀胱の内側に、充填もしくは部分的な充填し、流体供与オリフィスが膀胱の内部組織に接触するように拡張する。前記バルーンが拡張するにつれて、各流体供与オリフィスは相互から離間すべくバルーン表面と共に伸張し、膀胱内部組織の表面の近傍に配置される。前記バルーンの各オリフィスは、図１０Ｂに示された如くバルーンの回りに均一に、または装置のシャフトでバルーンの基部からそれぞれ異なる間隔を有する異なるパターンで、またはランダムに、シャフトの端部から任意の所望距離または放射状に配置され得る。各オリフィスは、前記シャフトの端部から同一距離もしくは異なる距離とされ得る。
【０１４０】
図１１は、前記装置の先端から突出可能な一つまたは複数の(示された)供与オリフィスを含む装置の更に別の実施形態を示している。図１１を参照すると、流体供与装置の先端390はシャフト396の最先端部398を含み、且つ更にオリフィス延長部392を収容している。オリフィス延長部392は、シャフト396の最先端398から遠方へ伸張する伸張可能管孔または“フィンガ”の形態である。伸張可能なオリフィス延長部392または“フィンガ”は、先端に流体供与オリフィス394を含む。各オリフィス延長部392または“フィンガ”は、例えば、操縦可能シャフトに対して上述した操縦機構を使用し、装置の基端における起動機構を用いて操縦可能である。同様に、各オリフィス延長部392は、所望であれば、装置の基端における起動機構の操作により最先端398から遠方へ付勢され伸張する。各オリフィス394は、単一オリフィスから流体を放出するように加圧され得る流体リザーバに連結され得る。前記流体リザーバは、装置の先端もしくは基端又は基端から離間して設置され、加圧機構(例えば二酸化炭素、プランジャ、機械的スプリング、ポンプ、ソレノイド等の)が装置の基端または先端に設けられてよい。
【０１４１】
本発明の特定実施形態に依れば、先端390は、取付けおよび流体供与時に端部390を操縦する操縦可能先端の如き特徴を含み得る。同様に選択的に先端390は、使用時に供与箇所、および先端390、オリフィス394の精確な載置、およびオリフィス394を介して供与される流体の観察を可能にするために装置の基端に通じる光学的特徴を含み得る。
【０１４２】
図１２には、本発明に係る装置の別の好適実施形態が示される。装置400は、シャフト403により連結された基端402および先端404を含む。基端402は、先端404における特徴を操作しまたは動作させるために有用な特徴を収容する本体もしくは取手412を含む。本体412は、光ファイバ光源416と、シャフトの壁部(不図示)内の複数本のケーブルの差動的な押出しおよび引き戻し(または緊張および圧縮)に基づき装置400の操縦可能な先端を二次元で移動するように操作され得る操縦アクチュエータ414と、光ファイバケーブル410を介して最先端422を通る流体供与場所の観察を可能にする観察レンズ420と、基端402への流体供給源の連結を可能にするポート424とを含む。端部404の操縦のための関節運動は破線で示される。
【０１４３】
更に、図１２を参照すると、ポート424には取付けアダプタ426が取付けられ、流体供与手段428は本体412に対して連結され得る。流体供与手段428は、流体リザーバと、圧力源と、前記圧力源により前記流体リザーバを加圧する機構であって、前記流体リザーバからの流体を、ポート424を通り、流体管孔408(作動管孔418内で長手方向に移動可能である)を通り、最終的に、流体供与オリフィス430で流体管孔408から流体噴射注入物432として射出する機構を含む。基端402におけるアクチュエータ(不図示)を操作することにより、伸張可能な流体管孔408は先端方向に伸縮され得る。
【０１４４】
本体412はシャフト403に連結され、前記シャフトは、基端402の特徴を先端404に連結する管孔および機構を含む。作動管孔418は中空の管孔もしくはチャネルであり、シャフト403の長手に沿って長手方向に流体供与管孔408が移動するのを可能にし流体供与管孔408の先端がオリフィス延長部として最先端422から伸張するのを可能にするように、シャフト403内で延在し且つ流体供与管孔408を収容する。シャフト403はまた、光ファイバ410と、アクチュエータ414の運動により先端464の操縦(偏向)を可能にする操縦機構(不図示)とを含む。光源416は、光ファイバ411により先端404へ光を伝達する。
【０１４５】
先端404は最先端部422を含み、最先端部422から、流体供与管孔408はオリフィス延長部として伸張し得る。また先端404は、光ファイバ410を介した観察に基づき二次元で操縦されて管孔408の延長部と連携して最先端422の運動を可能にし、所望の組織場所に精確な載置を以て流体を供与し得る。選択的に、例えば図示された操縦可能セクションの近位に、シャフト403の別の操縦可能セクションが含まれ、図１２に示された関節運動の平面に直交する平面の如き付加的な平面内で先端が関節運動することを可能にする。
【０１４６】
図１３には、装置400の改変例が示される。図１３においてポート424は図１２に示されたように基端流体供与手段428に連結されないが、遠隔流体供給源440に連結される。特に装置400はポート424を介して可撓導管446に連結され、前記導管は、ポート424と流体リザーバ440との間の流体により連通を可能にする流体管孔を含む。流体リザーバ440は遠隔コンソール442内に収容され、前記コンソールは、流体リザーバ440と、前記流体リザーバ440により収容された流体を加圧し得る圧力源444とを収容する。“遠隔”コンソール442は、装置440の容易な操作および使用を可能にする一方、流体リザーバおよび本体から離れた圧力源の重量および体積の変更を可能にする、本体412からの所望距離である。“遠隔”コンソールは例えば装置400のユーザから2フィート〜20フィート(60.96〜609.96cm)離間して配置され得ると共に、可撓導管446は、4フィート〜30フィート(約121.92〜914.4cm)長の如く対応する長さとされ得る。
【０１４７】
図１３に示されたコンソールの使用は、装置400の詳細な特徴を有する装置との組み合わせによる有用性に限られない。コンソール442の如き遠隔コンソールは、本明細書中に記述され又は図１乃至図１１のいずれかに示された装置または特徴の任意のものと共に使用され得る。
【０１４８】
図１４および図１５は、本明細書中に記述された流体供与装置の内の任意装置に取入れられ得る供与量制御装置(500)を示している。供与量制御装置500は概略的に、プランジャ／シャフト組立体502および停止部材504を備える。供与体積制御器500は、ステンレス鋼およびニチノールの如き金属、または選択的に適宜のポリマー材料等の適切な材料で作製され得る。プランジャ／シャフト組立体502は、シャフト部材506と、段階的係合部材508とを備え得る。段階的係合部材508は、概略的にシャフト部材506の回りで円周方向に配設されると共に、第一係合部510、第二係合部512および第三係合部514を含み得る。前記係合部の各々は、第一係合部510から第二係合部512にかけて、および、最終的に第三係合部514にかけて減少する別個の直径を有する。各係合部は、第一係合部510上の第一係合面510a、第二係合部512上の第二係合面512a、および、第三係合部514上の第三係合面514aの如き係合面を含む。シャフト部材506は概略的に第三係合部514から、シャフト組立体502の端部におけるプランジャ(不図示)であって段階的係合部508の反対側のプランジャまで延在する。
【０１４９】
前記プランジャは、プランジャ・リザーバ内の流体を加圧して変位させ得る。理解される如く、前記端部におけるプランジャの移動距離は、係合部材508の異なる表面に係合する停止部材504の移動により制御されて、前記プランジャにより変位される流体の体積が制御され得る。
【０１５０】
停止部材504は、概ね、停止面518を形成する停止体516を含む。停止部材504は、シャフト507内に作用可能に取付けられ得る。停止部材504は、概ね、例えば、摩擦嵌合、磁気結合、戻り止め手段、ラッチ表面、バネ負荷保持部材等の適宜の保持機構の使用により、表面開口509内に保持可能に載置されるように構成される。
【０１５１】
使用に際して停止部材504は、停止面518の所望量がシャフト507内に存在する如く、シャフト507の表面開口509内へ付勢される。シャフト507内における停止面518の量は、第一係合面510a、第二係合面512aおよび第三係合面514aのいずれに係合することが所望されるかに基づいて選択される。どの係合面が係合されるべきかを選択することにより、プランジャ／シャフト組立体502の行程長は、プランジャの移動時に夫々の全行程が同一測定量の流体を供与するように制限される。停止部材504の選択的な載置により、医療専門家は、プランジャ／シャフト組立体502の各ストロークごとに最終的に投与される治療用流体の測定量を変更し得る。
【０１５２】
装置の任意の個々の構成要素、または、装置全体が、使い捨て可能または再使用可能とされ得る。一例として、内視鏡装置と共に使用されるタイプの使い捨て可能または再使用可能な光学的特徴が、使い捨て可能または再使用可能である装置の一部または一構成要素に取入れられ得る。付加的にまたは選択的に、装置は、再使用可能な圧力源(例えば加圧気体のカートリッジ)、交換可能な流体リザーバ、使い捨て可能な供与ヘッド部を有し得るか、または、全体的に使い捨て可能とされ得る。
【０１５３】
別の特定実施形態において装置は、異なる組織箇所にて異なる量の流体を供与するために設計され得る。故に、流体供与は流体供与オリフィスを変更する工程間で行われ、その場合に一つ以上の流体供与オリフィスが、選択的に、シャフトに対して移動可能またはシャフトから伸張可能である。異なる量の流体は、例えば単一回または複数回の流体供与に所望される所定量の交換可能な複数の小瓶の個々に事前装填され得る。即ち、単一の小瓶が一回投与量(容積(volume))または複数回投与量(容積)の流体を含んでよい。交換可能な小瓶を使用し、前記装置は、一つの小瓶の全容積を用いて一回または複数回の投与量の流体を供与すべく使用され得る。交換可能な小瓶はその後、流体供与装置から取り外されて満杯の小瓶と交換され得ると共に、満杯の小瓶の容積は一回以上の流体供与において供給され得る。このことは、所望に応じた回数の流体供与に対して反復され得る。他の実施形態において装置は、前記装置を遠隔流体供給源(例えば“ホッパ”または遠隔コンソール)に連結する連結部を基端に有し、前記遠隔流体供給源からは、個々の小瓶の装填もしくは再装填の必要なく、所望量の複数回の流体供与が調達され得る。
【０１５４】
流体供与装置の上述特徴の内の任意特徴に依れば、装置は、種々の場所、量、および流体の分散の程度および深度(例えば形状および距離)、および粒子の寸法の如き他の注入特性を有する流体供与を行うためにプログラムされ得る電子的プロセス制御システムを含み得る。
【０１５５】
本発明は、また、例えば膀胱もしくは膀胱頚部、腎臓、尿管、尿道、前立腺の組織等の下尿路の組織および近傍組織へ流体を供与する方法であって、実質的に本明細書中に記述された如き流体供給源および流体供与装置を配備する工程と、例えば道口を介して、患者の体内へ流体供与装置を挿入する工程と、前記装置の先端における流体供与オリフィスが所望の供与部位に位置決めされるまで前記装置を操縦する工程と、選択的に、カバーもしくはポートを開放する等の前記装置の先端の特徴部を起動して流体供与オリフィスを露出する工程と、流体供与オリフィスを含む前記装置の扇、フィンガ、バルーンまたは他の延長部を膨張、拡張もしくは伸張する工程と、前記装置を起動し、前記部位に一つまたは複数のオリフィスから一種類または複数種類の流体を供与する工程とを含む、方法を提供する。複数の供与オリフィスは、尿道、前立腺、膀胱または膀胱頚部等の複数の箇所に一種類以上の異なる流体を供給する機能を提供し得る。光学的特徴、操縦可能シャフト、突出可能もしくは移動可能な流体供与オリフィスの如き本明細書中に記述された装置の特徴、および、選択された流体供与オリフィスを独立に開閉する機能、および、複数種類の異なる流体を供与する機能に依れば、流体の注入もしくは滴注の箇所に対する優れた制御が可能になる。
【０１５６】
例示治療方法は、本明細書中に記述された如き流体供与装置の挿入に関する一つまたは複数の個別的な工程を含み得る。装置を位置決めし、膀胱または膀胱頚部または尿路の他の場所内の所望箇所に一つ以上の流体供与オリフィスを載置する工程、選択的に、光学装置を使用する工程、選択的に、装置のシャフトから針もしくは無針式供与オリフィス延長部を伸張して膀胱または膀胱頚部等の組織に接触させる工程、供与オリフィス(針もしくは無針式供与オリフィス)から一種類以上の生体活性流体または作用物質を供与し、膀胱もしくは膀胱頚部等の組織に接触もしくは浸入させる工程、選択的に、一つ以上の流体供与オリフィスを再位置決めする一つまたは複数の工程、選択的に、同一のもしくは異なる供与オリフィスを含む一回以上の付加的な供与段階。
【０１５７】
本発明の流体供与処置に依れば、エタノールまたは生体活性剤の如き流体は、針もしくは無針式供与オリフィスを用いて流体が組織内に注入されるように、または流体が組織の表面に接触して流体の生体活性成分が組織を通して吸収されるように、膀胱、尿道または膀胱頚部等へ供与され得る。
【０１５８】
ここに記載の装置は、女性もしくは男性における尿路の組織の治療に有用である。例えば、本発明の装置は、膀胱、膀胱頚部、尿道組織自体もしくは外括約筋への注入、または男性の前立腺に対する経尿道注入に有用である。他の実施形態において流体は、薬剤、または例えば、理解される如く数ある中でも特にボツリヌス毒素(“ボトックス”)、抗男性ホルモン物質等の他の治療薬を用いる個別的なまたは組み合わせた治療の如く、尿路(例えば膀胱、尿道、腎臓、尿管、前立腺等)の組織内へ注入され得る。使用箇所に活性医薬剤を注入することの一つの利点は、全身的な副作用を回避すべく作用物質が載置されることによりある。有効な医薬剤の特定例としては、ボツリヌス毒素型Ａ〜Ｇ、デュタステリドおよびフィナステリドの如き５−α還元酵素阻害剤、BPHを治療するアルフゾシン、ドクサゾシン、プラゾシン、タムスロシン塩酸塩、テラゾシンの如きα遮断剤、または種々の抗体(例えば前立腺を治療する)、および鎮痛剤の内の任意のものが挙げられる。
【０１５９】
装置を用いる方法としては、例えば複数種の薬剤の如き複数種の薬剤を、例えば膀胱、膀胱頚部、尿道、前立腺、腎臓、尿管等の尿路の組織に対して供与する方法が挙げられる。ある例示方法に依れば、流体は組織内へ注入される。他の例示方法に依れば流体は、組織の表面に接触するように滴注、即ち滴下され、例えばその組織を洗浄し(膀胱を充填して膀胱組織を洗浄する等)、または治療薬を供与する。更なる他の例示方法に依れば、流体は、膀胱内へ供与され、膀胱内部を充填し又は部分的に充填し得る。
【０１６０】
当業者には、上記説明を考慮し、または本明細書中に記載かつ図示された発明を実施することにより、本発明の他の実施形態が明らかであろう。当業者であれば、例示実施形態により示される本発明の真の範囲および精神から逸脱することなく、本明細書中に記載された原理および各実施形態に対する種々の省略、改変および変更を為し得よう。
【符号の説明】
【０１６１】
10，100    流体供与装置
12，102    先端
14，110    シャフト
16    流体供与管孔
20，104    基端
108    圧力源
32，132    流体供与オリフィス
【図１】
2014231019.tif 000003
【図１Ａ】
2014231019.tif 000004
【図２】
2014231019.tif 000005
【図３】
2014231019.tif 000006
【図４】
2014231019.tif 000007
【図５】
2014231019.tif 000008
【図６Ａ】
2014231019.tif 000009
【図６Ｂ】
2014231019.tif 000010
【図７Ａ】
2014231019.tif 000011
【図７Ｂ】
2014231019.tif 000012
【図８Ａ】
2014231019.tif 000013
【図８Ｂ】
2014231019.tif 000014
【図９Ａ】
2014231019.tif 000015
【図９Ｂ】
2014231019.tif 000016
【図９Ｃ】
2014231019.tif 000017
【図１０Ａ】
2014231019.tif 000018
【図１０Ｂ】
2014231019.tif 000019
【図１１】
2014231019.tif 000020
【図１２】
2014231019.tif 000021
【図１３】
2014231019.tif 000022
【図１４】
2014231019.tif 000023
【図１５】
2014231019.tif 000024
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
基端及び遠位先端と、
尿道内腔に配置されるように構成された、前記基端から外部シャフト先端まで延在する可撓性外部シャフトと、
流体供与管孔と、
圧力源と、
前記遠位先端における伸張可能な組織引張器と、を含み、
前記外部シャフトは前記基端と前記外部シャフト先端との間に内部管孔を含み、
前記流体供与管孔は前記内部管孔内に設けられかつ前記内部管孔内で長手方向に移動可能であり、
前記流体供与管孔は、
流体供与管孔基端、
流体供与管孔先端、
前記流体供与管孔基端と前記流体供与管孔先端との間に延在する射出管孔、
前記流体供与管孔基端と前記流体供与管孔先端との間に延在する流体供与管孔壁、および
前記流体供与管孔壁を通って横切って延在するオリフィスを含む前記流体供与管孔先端に設けられた無針流体供与オリフィスを含み、
前記圧力源が流体を加圧し、かつ、前記流体供与管孔を尿道組織へと侵入させることなく、前記尿道組織の表面を通って前記尿道組織に浸入し得る圧力で、前記流体供与オリフィスから流体を放出することができ、
伸張可能な前記組織引張器が、バルーン及び金属ケージから構成されるグループから選択され、
伸張可能な前記組織引張器が、前記無針流体供与オリフィスから前記尿道組織内への流体の射出のため、尿道組織において引張りを行うべく尿道内腔で伸張可能である、尿路の組織に対する流体の無針供与装置。
【請求項２】
前記圧力は２０００ポンド／平方インチ（約９０７２００ｇ／６．５ｃｍ2）またはそれ以上である、請求項１記載の装置。
【請求項３】
前記基端と前記先端との間の光学的連通を可能にする光学機器を含む、請求項１記載の装置。
【請求項４】
前記流体供与管孔は、ポリイミド、ポリエーテルイミド、およびポリエーテルエーテルケトンから成る群から選択されるポリマーを含む、請求項１から３のいずれか一項に記載の装置。
【請求項５】
前記流体供与管孔壁を通って横切って延在するオリフィスを含む前記流体供与管孔先端に第二の無針流体供与オリフィスを更に含み、第一および第二の流体供与オリフィスは相互に対しかつ共通流体源に対して連通する、請求項１から３のいずれか一項に記載の装置。
【請求項６】
前記流体供与オリフィスは、約０．００１から０．０５インチ（約０．００２５４〜０．１２５ｃｍ）の範囲の直径を有する、請求項１から３のいずれか一項に記載の装置。
【請求項７】
前記流体供与管孔は内部管孔内で長手方向に移動可能であり、前記流体供与オリフィスは前記可撓性外部シャフトの先端から遠方へ伸張して、前記流体供与オリフィスと前記可撓性外部シャフトの先端との間の間隔を広げる、請求項１から３のいずれか一項に記載の装置。
【請求項８】
前記基端と前記先端との間の光学的連通を可能にする光学機器、および
前記流体供与管孔壁を通って横切って延在するオリフィスを含む前記流体供与管孔先端に第二の無針流体供与オリフィスを含み、
前記流体供与管孔は、ポリイミド、ポリエーテルイミド、およびポリエーテルエーテルケトンから成る群から選択されるポリマーを含み、
前記流体供与オリフィスは、約０．００１から０．０５インチ（約０．００２５４〜０．１２５ｃｍ）の範囲の直径を有し、
前記流体供与管孔は内部管孔内で長手方向に移動可能であり、前記流体供与オリフィスは前記可撓性外部シャフトの先端から遠位へ伸張して、前記流体供与オリフィスと前記可撓性外部シャフトの先端との間の間隔を広げ、かつ
第一および第二の流体供与オリフィスは相互に対しかつ共通流体源に対して連通する、請求項２記載の装置。
【請求項９】
操縦可能先端を具備する請求項１から８のいずれか一項に記載の装置。